【手続補正書】
【提出日】平成17年10月21日(2005.10.21)
【手続補正１】
【補正対象書類名】特許請求の範囲
【補正対象項目名】全文
【補正方法】変更
【補正の内容】
【特許請求の範囲】
【請求項１】
前立腺特異膜抗原（ＰＭＳＡ）上のエピトープに特異的に結合する、単離された抗体またはその抗原結合性フラグメントであって、該抗体またはその抗原結合性フラグメントが、ＰＭＳＡ上の第２抗体の標的エピトープに対する第２抗体の特異的結合を競合的に阻害し、ここで該第２抗体は、ＰＳＭＡ  ３．７、ＰＳＭＡ  ３．８、ＰＳＭＡ  ３．９、ＰＳＭＡ  ３．１１、ＰＳＭＡ  ５．４、ＰＳＭＡ  ７．１、ＰＳＭＡ  ７．３、ＰＳＭＡ  １０．３、ＰＳＭＡ  １．８．３、ＰＳＭＡ  Ａ３．１．３、ＰＳＭＡ  Ａ３．３．１、Ａｂｇｅｎｉｘ  ４．２４８．２、Ａｂｇｅｎｉｘ  ４．３６０．３、Ａｂｇｅｎｉｘ  ４．７．１、Ａｂｇｅｎｉｘ  ４．４．１、Ａｂｇｅｎｉｘ  ４．１７７．３、Ａｂｇｅｎｉｘ  ４．１６．１、Ａｂｇｅｎｉｘ  ４．２２．３、Ａｂｇｅｎｉｘ  ４．２８．３、Ａｂｇｅｎｉｘ  ４．４０．２、Ａｂｇｅｎｉｘ  ４．４８．３、Ａｂｇｅｎｉｘ  ４．４９．１、Ａｂｇｅｎｉｘ  ４．２０９．３、Ａｂｇｅｎｉｘ  ４．２１９．３、Ａｂｇｅｎｉｘ  ４．２８８．１、Ａｂｇｅｎｉｘ  ４．３３３．１、Ａｂｇｅｎｉｘ  ４．５４．１、Ａｂｇｅｎｉｘ  ４．１５３．１、Ａｂｇｅｎｉｘ  ４．２３２．３、Ａｂｇｅｎｉｘ  ４．２９２．３、Ａｂｇｅｎｉｘ  ４．３０４．１、Ａｂｇｅｎｉｘ  ４．７８．１、Ａｂｇｅｎｉｘ  ４．１５２．１、ならびに
（ａ）配列番号２〜７に示されるヌクレオチド配列からなる群から選択されるヌクレオチド配列のコード領域を含む核酸分子によってコードされる重鎖、および
（ｂ）配列番号８〜１３に示されるヌクレオチド配列からなる群から選択されるヌクレオチド配列のコード領域を含む核酸分子によってコードされる軽鎖と、を含む抗体からなる群から選択される、単離された抗体またはその抗原結合性フラグメント。
【請求項２】
請求項１に記載の単離された抗体またはその抗原結合性フラグメントであって、ここで前記第２抗体が、
（ａ）配列番号２に示されるヌクレオチド配列のコード領域を含む核酸分子によってコードされる重鎖、および
（ｂ）配列番号８に示されるヌクレオチド配列のコード領域を含む核酸分子によってコードされる軽鎖と、を含む、単離された抗体またはその抗原結合性フラグメント。
【請求項３】
請求項１に記載の単離された抗体またはその抗原結合性フラグメントであって、ここで前記第２抗体が、
（ａ）配列番号３に示されるヌクレオチド配列のコード領域を含む核酸分子によってコードされる重鎖、および
（ｂ）配列番号９に示されるヌクレオチド配列のコード領域を含む核酸分子によってコードされる軽鎖と、を含む、単離された抗体またその抗原結合性フラグメント。
【請求項４】
請求項１に記載の単離された抗体またはその抗原結合性フラグメントであって、ここで前記第２抗体が、
（ａ）配列番号４に示されるヌクレオチド配列のコード領域を含む核酸分子によってコードされる重鎖、および
（ｂ）配列番号１０に示されるヌクレオチド配列のコード領域を含む核酸分子によってコードされる軽鎖と、を含む、単離された抗体またはその抗原結合性フラグメント。
【請求項５】
請求項１に記載の単離された抗体またはその抗原結合性フラグメントであって、ここで前記第２抗体が、
（ａ）配列番号５に示されるヌクレオチド配列のコード領域を含む核酸分子によってコードされる重鎖、および
（ｂ）配列番号１１に示されるヌクレオチド配列のコード領域を含む核酸分子によってコードされる軽鎖と、を含む、抗体またはその抗原結合性フラグメント。
【請求項６】
請求項１に記載の単離された抗体またはその抗原結合性フラグメントであって、ここで前記第２抗体が、
（ａ）配列番号６に示されるヌクレオチド配列のコード領域を含む核酸分子によってコードされる重鎖、および
（ｂ）配列番号１２に示されるヌクレオチド配列のコード領域を含む核酸分子によってコードされる軽鎖と、を含む、単離された抗体またはその抗原結合性フラグメント。
【請求項７】
請求項１に記載の単離された抗体またはその抗原結合性フラグメントであって、ここで前記第２抗体が、
（ａ）配列番号７に示されるヌクレオチド配列のコード領域を含む核酸分子によってコードされる重鎖、および
（ｂ）配列番号１３に示されるヌクレオチド配列のコード領域を含む核酸分子によってコードされる軽鎖と、を含む、単離された抗体またはその抗原結合性フラグメント。
【請求項８】
請求項１に記載の単離された抗体またはその抗原結合性フラグメントであって、ここで前記抗体またはその抗原結合性フラグメントが、ＰＳＭＡ  ３．７、ＰＳＭＡ  ３．８、ＰＳＭＡ  ３．９、ＰＳＭＡ  ３．１１、ＰＳＭＡ  ５．４、ＰＳＭＡ  ７．１、ＰＳＭＡ
７．３、ＰＳＭＡ  １０．３、ＰＳＭＡ  １．８．３、ＰＳＭＡ  Ａ３．１．３、ＰＳＭＡ  Ａ３．３．１、Ａｂｇｅｎｉｘ  ４．２４８．２、Ａｂｇｅｎｉｘ  ４．３６０．３、Ａｂｇｅｎｉｘ  ４．７．１、Ａｂｇｅｎｉｘ  ４．４．１、Ａｂｇｅｎｉｘ  ４．１７７．３、Ａｂｇｅｎｉｘ  ４．１６．１、Ａｂｇｅｎｉｘ  ４．２２．３、Ａｂｇｅｎｉｘ  ４．２８．３、Ａｂｇｅｎｉｘ  ４．４０．２、Ａｂｇｅｎｉｘ  ４．４８．３、Ａｂｇｅｎｉｘ  ４．４９．１、Ａｂｇｅｎｉｘ  ４．２０９．３、Ａｂｇｅｎｉｘ  ４．２１９．３、Ａｂｇｅｎｉｘ  ４．２８８．１、Ａｂｇｅｎｉｘ  ４．３３３．１、Ａｂｇｅｎｉｘ  ４．５４．１、Ａｂｇｅｎｉｘ  ４．１５３．１、Ａｂｇｅｎｉｘ４．２３２．３、Ａｂｇｅｎｉｘ  ４．２９２．３、Ａｂｇｅｎｉｘ  ４．３０４．１、Ａｂｇｅｎｉｘ  ４．７８．１、Ａｂｇｅｎｉｘ  ４．１５２．１およびその抗原結合性フラグメントからなる群から選択される、単離された抗体またはその抗原結合性フラグメント。
【請求項９】
請求項１に記載の単離された抗体またはその抗原結合性フラグメントであって、ここで前記抗体またはその抗原結合性フラグメントが、
（ａ）配列番号２〜７に示されるヌクレオチド配列からなる群から選択されるヌクレオチド配列の重鎖コード領域を含む核酸分子によってコードされる重鎖、および
（ｂ）配列番号８〜１３に示されるヌクレオチド配列からなる群から選択されるヌクレオチド配列の軽鎖コード領域を含む核酸分子によってコードされる軽鎖と、を含む抗体およびその抗原結合性フラグメントからなる群から選択される、単離された抗体またはその抗原結合性フラグメント。
【請求項１０】
請求項９に記載の単離された抗体またはその抗原結合性フラグメントであって、ここで前記第２抗体が、
（ａ）配列番号２に示されるヌクレオチド配列のコード領域を含む核酸分子によってコードされる重鎖、および
（ｂ）配列番号８に示されるヌクレオチド配列のコード領域を含む核酸分子によってコードされる軽鎖と、を含む、単離された抗体またはその抗原結合性フラグメント。
【請求項１１】
請求項９に記載の単離された抗体またはその抗原結合性フラグメントであって、ここで前記第２抗体が、
（ａ）配列番号３に示されるヌクレオチド配列のコード領域を含む核酸分子によってコードされる重鎖、および
（ｂ）配列番号９に示されるヌクレオチド配列のコード領域を含む核酸分子によってコードされる軽鎖と、を含む、単離された抗体またはその抗原結合性フラグメント。
【請求項１２】
請求項９に記載の単離された抗体またはその抗原結合性フラグメントであって、ここで前記第２抗体が、
（ａ）配列番号４に示されるヌクレオチド配列のコード領域を含む核酸分子によってコードされる重鎖、および
（ｂ）配列番号１０に示されるヌクレオチド配列のコード領域を含む核酸分子によってコードされる軽鎖と、を含む、単離された抗体またはその抗原結合性フラグメント。
【請求項１３】
請求項９に記載の単離された抗体またはその抗原結合性フラグメントであって、ここで前記第２抗体が、
（ａ）配列番号５に示されるヌクレオチド配列のコード領域を含む核酸分子によってコードされる重鎖、および
（ｂ）配列番号１１に示されるヌクレオチド配列のコード領域を含む核酸分子によってコードされる軽鎖と、を含む、単離された抗体またはその抗原結合性フラグメント。
【請求項１４】
請求項９に記載の単離された抗体またはその抗原結合性フラグメントであって、ここで前記第２抗体が、
（ａ）配列番号６に示されるヌクレオチド配列のコード領域を含む核酸分子によってコードされる重鎖、および
（ｂ）配列番号１２に示されるヌクレオチド配列のコード領域を含む核酸分子によってコードされる軽鎖と、を含む、単離された抗体またはその抗原結合性フラグメント。
【請求項１５】
請求項９に記載の単離された抗体またはその抗原結合性フラグメントであって、ここで前記第２抗体が、
（ａ）配列番号７に示されるヌクレオチド配列のコード領域を含む核酸分子によってコードされる重鎖、および
（ｂ）配列番号１３に示されるヌクレオチド配列のコード領域を含む核酸分子によってコードされる軽鎖と、を含む、単離された抗体またはその抗原結合性フラグメント。
【請求項１６】
前立腺特異膜抗原の細胞外ドメインに特異的に結合する単離された抗体であって、ここで該抗体が、請求項９に記載の抗体をコードするヌクレオチド配列と、少なくとも約９０％同一なヌクレオチド配列を含む核酸分子によってコードされる、単離された抗体。
【請求項１７】
請求項１６に記載の単離された抗体であって、ここで前記抗体が、少なくとも約９５％同一なヌクレオチド配列を含む核酸分子によってコードされる、単離された抗体。
【請求項１８】
請求項１６に記載の単離された抗体であって、ここで前記抗体が、少なくとも約９７％同一のヌクレオチド配列を含む核酸分子によってコードされる、単離された抗体。
【請求項１９】
請求項１６に記載の単離された抗体であって、ここで前記抗体が、少なくとも約９８％同一のヌクレオチド配列を含む核酸分子によってコードされる、単離された抗体。
【請求項２０】
請求項１６に記載の単離された抗体であって、ここで前記抗体が、少なくとも約９９％同一のヌクレオチド配列を含む核酸分子によってコードされる、単離された抗体。
【請求項２１】
請求項９に記載の単離された抗体の抗原結合性フラグメントであり、
（ａ）配列番号１４、１８、２２、２６および３０に示されるヌクレオチド配列からなる群から選択されるヌクレオチド配列のコード領域を含む核酸分子によってコードされる重鎖の可変領域、および
（ｂ）配列番号１６、２０、２４、２８および３２に示されるヌクレオチド配列からなる群から選択されるヌクレオチド配列のコード領域を含む核酸分子によってコードされる軽鎖の可変領域と、を含む、抗原結合性フラグメント。
【請求項２２】
請求項２１に記載の単離された抗体の抗原結合性フラグメントであって、
（ａ）配列番号１４に示されるヌクレオチド配列のコード領域を含む核酸分子によってコードされる重鎖の可変領域、および
（ｂ）配列番号１６に示されるヌクレオチド配列のコード領域を含む核酸分子によってコードされる軽鎖の可変領域と、を含む、抗原結合性フラグメント。
【請求項２３】
請求項２１に記載の単離された抗体の抗原結合性フラグメントであって、
（ａ）配列番号１８に示されるヌクレオチド配列のコード領域を含む核酸分子によってコードされる重鎖の可変領域、および
（ｂ）配列番号２０に示されるヌクレオチド配列のコード領域を含む核酸分子によってコードされる軽鎖の可変領域と、を含む、抗原結合性フラグメント。
【請求項２４】
請求項２１に記載の単離された抗体の抗原結合性フラグメントであって、
（ａ）配列番号２２に示されるヌクレオチド配列のコード領域を含む核酸分子によってコードされる重鎖の可変領域、および
（ｂ）配列番号２４に示されるヌクレオチド配列のコード領域を含む核酸分子によってコードされる軽鎖の可変領域と、を含む、抗原結合性フラグメント。
【請求項２５】
請求項２１に記載の単離された抗体の抗原結合性フラグメントであって、
（ａ）配列番号２６に示されるヌクレオチド配列のコード領域を含む核酸分子によってコードされる重鎖の可変領域、および
（ｂ）配列番号２８に示されるヌクレオチド配列のコード領域を含む核酸分子によってコードされる軽鎖の可変領域と、を含む、抗原結合性フラグメント。
【請求項２６】
請求項２１に記載の単離された抗体の抗原結合性フラグメントであって、
（ａ）配列番号３０に示されるヌクレオチド配列のコード領域を含む核酸分子によってコードされる重鎖の可変領域、および
（ｂ）配列番号３２に示されるヌクレオチド配列のコード領域を含む核酸分子によってコードされる軽鎖の可変領域と、を含む、抗原結合性フラグメント。
【請求項２７】
請求項９に記載の単離された抗体の抗原結合性フラグメントであって、
（ａ）配列番号１５、１９、２３、２７および３１に示されるアミノ酸配列からなる群から選択されるアミノ酸配列を含む重鎖の可変領域、および
（ｂ）配列番号１７、２１、２５、２９および３３に示されるヌクレオチド配列からなる群から選択されるアミノ酸配列を含む軽鎖の可変領域と、を含む、抗原結合性フラグメント。
【請求項２８】
請求項２７に記載の単離された抗体の抗原結合性フラグメントであって、
（ａ）配列番号１５に示されるアミノ酸配列を含む重鎖の可変領域、および
（ｂ）配列番号１７に示されるアミノ酸を含む軽鎖の可変領域と、を含む、抗原結合性フラグメント。
【請求項２９】
請求項２７に記載の単離された抗体の抗原結合性フラグメントであって、
（ａ）配列番号１９に示されるアミノ酸配列を含む重鎖の可変領域、および
（ｂ）配列番号２１に示されるアミノ酸を含む軽鎖の可変領域と、を含む、抗原結合性フラグメント。
【請求項３０】
請求項２７に記載の単離された抗体の抗原結合性フラグメントであって、
（ａ）配列番号２３に示されるアミノ酸配列を含む重鎖の可変領域、および
（ｂ）配列番号２５に示されるアミノ酸を含む軽鎖の可変領域と、を含む、抗原結合性フラグメント。
【請求項３１】
請求項２７に記載の単離された抗体の抗原結合性フラグメントであって、
（ａ）配列番号２７に示されるアミノ酸配列を含む重鎖の可変領域、および
（ｂ）配列番号２９に示されるアミノ酸を含む軽鎖の可変領域と、を含む、抗原結合性フラグメント。
【請求項３２】
請求項２７に記載の単離された抗体の抗原結合性フラグメントであって、
（ａ）配列番号３１に示されるアミノ酸配列を含む重鎖の可変領域、および
（ｂ）配列番号３３に示されるアミノ酸を含む軽鎖の可変領域と、を含む、抗原結合性フラグメント。
【請求項３３】
請求項２１または請求項２７に記載の抗原結合性フラグメントのＣＤＲを含む、単離された抗原結合性フラグメント。
【請求項３４】
請求項３３に記載の単離された抗原結合性フラグメントであって、前記ＣＤＲがＣＤＲ３である、単離された抗原結合性フラグメント。
【請求項３５】
請求項１〜３４のうちのいずれか１つに記載の単離された抗体またはその抗原結合性フラグメントをコードする単離された核酸分子を含む、発現ベクター。
【請求項３６】
配列番号２に示されるヌクレオチド配列のコード領域を含む核酸分子によってコードされる、ＡＢ−ＰＧ１−ＸＧ１−００６の重鎖をコードする単離された核酸分子を含む、発現ベクター。
【請求項３７】
配列番号８に示されるヌクレオチド配列のコード領域を含む核酸分子によってコードされる、ＡＢ−ＰＧ１−ＸＧ１−００６の軽鎖をコードする単離された核酸分子を含む、発現ベクター。
【請求項３８】
配列番号２および配列番号８に示されるヌクレオチド配列のコード領域を含む核酸分子によってコードされる、ＡＢ−ＰＧ１−ＸＧ１−００６の重鎖および軽鎖をコードする単離された核酸分子を含む、発現ベクター。
【請求項３９】
配列番号３に示されるヌクレオチド配列のコード領域を含む核酸分子によってコードされる、ＡＢ−ＰＧ１−ＸＧ１−０２６の重鎖をコードする単離された核酸分子を含む、発現ベクター。
【請求項４０】
配列番号９に示されるヌクレオチド配列のコード領域を含む核酸分子によってコードされる、ＡＢ−ＰＧ１−ＸＧ１−０２６の軽鎖をコードする単離された核酸分子を含む、発現ベクター。
【請求項４１】
配列番号３および配列番号９に示されるヌクレオチド配列のコード領域を含む核酸分子によってコードされる、ＡＢ−ＰＧ１−ＸＧ１−０２６の重鎖および軽鎖をコードする単離された核酸分子を含む、発現ベクター。
【請求項４２】
配列番号４に示されるヌクレオチド配列のコード領域を含む核酸分子によってコードされる、ＡＢ−ＰＧ１−ＸＧ１−０５１の重鎖をコードする単離された核酸分子を含む、発現ベクター。
【請求項４３】
配列番号１０に示されるヌクレオチド配列のコード領域を含む核酸分子によってコードされる、ＡＢ−ＰＧ１−ＸＧ１−０５１の軽鎖をコードする単離された核酸分子を含む、発現ベクター。
【請求項４４】
配列番号４および配列番号１０に示されるヌクレオチド配列のコード領域を含む核酸分子によってコードされる、ＡＢ−ＰＧ１−ＸＧ１−０５１の重鎖および軽鎖をコードする単離された核酸分子を含む、発現ベクター。
【請求項４５】
配列番号５に示されるヌクレオチド配列のコード領域を含む核酸分子によってコードされる、ＡＢ−ＰＧ１−ＸＧ１−０６９の重鎖をコードする単離された核酸分子を含む、発現ベクター。
【請求項４６】
配列番号１１に示されるヌクレオチド配列のコード領域を含む核酸分子によってコードされる、ＡＢ−ＰＧ１−ＸＧ１−０６９の軽鎖をコードする単離された核酸分子を含む、発現ベクター。
【請求項４７】
配列番号５および配列番号１１に示されるヌクレオチド配列のコード領域を含む核酸分子によってコードされる、ＡＢ−ＰＧ１−ＸＧ１−０６９の重鎖および軽鎖をコードする単離された核酸分子を含む、発現ベクター。
【請求項４８】
配列番号６に示されるヌクレオチド配列のコード領域を含む核酸分子によってコードされる、ＡＢ−ＰＧ１−ＸＧ１−０７７の重鎖をコードする単離された核酸分子を含む、発現ベクター。
【請求項４９】
配列番号１２に示されるヌクレオチド配列のコード領域を含む核酸分子によってコードされる、ＡＢ−ＰＧ１−ＸＧ１−０７７の軽鎖をコードする単離された核酸分子を含む、発現ベクター。
【請求項５０】
配列番号６および配列番号１２に示されるヌクレオチド配列のコード領域を含む核酸分子によってコードされる、ＡＢ−ＰＧ１−ＸＧ１−０７７の重鎖および軽鎖をコードする単離された核酸分子を含む、発現ベクター。
【請求項５１】
配列番号７に示されるヌクレオチド配列のコード領域を含む核酸分子によってコードされる、ＡＢ−ＰＧ１−ＸＧ１−００６の重鎖をコードする単離された核酸分子を含む、発現ベクター。
【請求項５２】
配列番号１３に示されるヌクレオチド配列のコード領域を含む核酸分子によってコードされる、ＡＢ−ＰＧ１−ＸＧ１−００６の軽鎖をコードする単離された核酸分子を含む、発現ベクター。
【請求項５３】
配列番号７および配列番号１３に示されるヌクレオチド配列のコード領域を含む核酸分子によってコードされる、ＡＢ−ＰＧ１−ＸＧ１−００６の重鎖および軽鎖をコードする単離された核酸分子を含む、発現ベクター。
【請求項５４】
請求項３５に記載の発現ベクターによって形質転換またはトランスフェクトされた宿主細胞。
【請求項５５】
請求項１〜３４のいずれか１項に記載の抗体またはその抗原結合性フラグメントを産生するプラスミド。
【請求項５６】
請求項５５に記載のプラスミドであって、ここで該プラスミドは：
ＡＢ−ＰＧ１−ＸＧ１−００６重鎖（配列番号２）、ＡＢ−ＰＧ１−ＸＧ１−００６軽鎖（配列番号８）、ＡＢ−ＰＧ１−ＸＧ１−０２６重鎖（配列番号３）、ＡＢ−ＰＧ１−ＸＧ１−０２６軽鎖（配列番号９）、ＡＢ−ＰＧ１−ＸＧ１−０５１重鎖（配列番号４）、ＡＢ−ＰＧ１−ＸＧ１−０５１軽鎖（配列番号１０）、ＡＢ−ＰＧ１−ＸＧ１−０６９重鎖（配列番号５）、ＡＢ−ＰＧ１−ＸＧ１−０６９軽鎖（配列番号１１）、ＡＢ−ＰＧ１−ＸＧ１−０７７重鎖（配列番号６）、ＡＢ−ＰＧ１−ＸＧ１−０７７軽鎖（配列番号１２）、ＰＳＭＡ  １０．３重鎖（配列番号７）、およびＰＳＭＡ  １０．３κ（配列番号１３）からなる群から選択される、プラスミド。
【請求項５７】
前記抗体またはその抗原結合性フラグメントが、生細胞へ結合する能力について選択される、請求項１に記載の単離された抗体またはその抗原結合性フラグメント。
【請求項５８】
前記細胞が腫瘍細胞である、請求項５７に記載の単離された抗体またはその抗原結合性フラグメント。
【請求項５９】
前記腫瘍細胞が前立腺腫瘍細胞である、請求項５８に記載の単離された単離された抗体またはその抗原結合性フラグメント。
【請求項６０】
前記腫瘍細胞がＬＮＣａＰ細胞である、請求項５９に記載の単離された抗体またはその抗原結合性フラグメント。
【請求項６１】
前記抗体またはその抗原結合性フラグメントが、ＰＳＭＡを発現する細胞の細胞溶解を媒介する、請求項１に記載の単離された抗体またはその抗原結合性フラグメント。
【請求項６２】
ＰＳＭＡを発現する細胞の細胞溶解が、エフェクター細胞によって媒介される、請求項６１に記載の単離された抗体またはその抗原結合性フラグメント。
【請求項６３】
ＰＳＭＡを発現する細胞の細胞溶解が、エフェクター細胞の存在下で補体媒介される、請求項６１に記載の単離された抗体またはその抗原結合性フラグメント。
【請求項６４】
前記抗体またはその抗原結合性フラグメントが、ＰＳＭＡを発現する細胞の増殖を阻害する、請求項１に記載の単離された抗体またはその抗原結合性フラグメント。
【請求項６５】
前記抗体またはその抗原結合性フラグメントが、ＰＳＭＡ上のエピトープに結合するために細胞溶解を必要としない、請求項１に記載の単離された抗体またはその抗原結合性フラグメント。
【請求項６６】
請求項１に記載の単離された抗体またはその抗原結合性フラグメントであって、該抗体またはその抗原結合性フラグメントが、ＩｇＧ１、ＩｇＧ２、ＩｇＧ３、ＩｇＧ４、ＩｇＭ、ＩｇＡ１、ＩｇＡ２、ＩｇＡｓｅｃ、ＩｇＤ、ＩｇＥからなる群から選択されるか、あるいはＩｇＧ１、ＩｇＧ２、ＩｇＧ３、ＩｇＧ４、ＩｇＭ、ＩｇＡ１、ＩｇＡ２、ＩｇＡｓｅｃ、ＩｇＤまたはＩｇＥの免疫グロブリン定常ドメインおよび／または可変ドメインを有する、単離された抗体またはその抗原結合性フラグメント。
【請求項６７】
前記抗体が組換え抗体である、請求項１に記載の単離された抗体またはその抗原結合性フラグメント。
【請求項６８】
前記抗体がポリクローナル抗体である、請求項１に記載の単離された抗体またはその抗原結合性フラグメント。
【請求項６９】
前記抗体がモノクローナル抗体である、請求項１に記載の単離された抗体またはその抗原結合性フラグメント。
【請求項７０】
前記抗体がヒト化抗体である、請求項１に記載の単離された抗体またはその抗原結合性フラグメント。
【請求項７１】
前記抗体がモノクローナル抗体である、請求項７０に記載の単離された抗体またはその抗原結合性フラグメント。
【請求項７２】
前記抗体がポリクローナル抗体である、請求項７０に記載の単離された抗体またはその抗原結合性フラグメント。
【請求項７３】
前記抗体が、モノクローナル抗体および／またはポリクローナル抗体の混合物である、請求項７０に記載の単離された抗体またはその抗原結合性フラグメント。
【請求項７４】
前記抗体がキメラ抗体である、請求項１に記載の単離された抗体またはその抗原結合性フラグメント。
【請求項７５】
前記抗体がモノクローナル抗体である、請求項７４に記載の単離された抗体またはその抗原結合性フラグメント。
【請求項７６】
前記抗体がポリクローナル抗体である、請求項７４に記載の単離された抗体またはその抗原結合性フラグメント。
【請求項７７】
前記抗体が、モノクローナル抗体および／またはポリクローナル抗体の混合物である、請求項７４に記載の単離された抗体またはその抗原結合性フラグメント。
【請求項７８】
前記抗体がヒト抗体である、請求項１に記載の単離された抗体またはその抗原結合性フラグメント。
【請求項７９】
前記抗体がモノクローナル抗体である、請求項７８に記載の単離された抗体またはその抗原結合性フラグメント。
【請求項８０】
前記抗体がポリクローナル抗体である、請求項７８に記載の単離された抗体またはその抗原結合性フラグメント。
【請求項８１】
前記抗体が、モノクローナル抗体および／またはポリクローナル抗体の混合物である、請求項７８に記載の単離された抗体またはその抗原結合性フラグメント。
【請求項８２】
前記抗体が、二重特異的（ｂｉｓｐｅｃｉｆｉｃ）抗体または多重特異的（ｍｕｌｔｉｓｐｅｃｉｆｉｃ）抗体である、請求項１に記載の単離された抗体またはその抗原結合性フラグメント。
【請求項８３】
請求項１に記載の単離された抗体またはその抗原結合性フラグメントであって、該単離された抗原結合性フラグメントが、Ｆａｂフラグメント、Ｆ（ａｂ’）２フラグメント、およびＦｖフラグメントＣＤＲ３からなる群から選択される、単離された抗体またはその抗原結合性フラグメント。
【請求項８４】
請求項１に記載の単離された抗体またはその抗原結合性フラグメントであって、該抗体が、ＰＳＭＡ  ３．７（ＰＴＡ−３２５７）、ＰＳＭＡ  ３．８、ＰＳＭＡ  ３．９（ＰＴＡ−３２５８）、ＰＳＭＡ  ３．１１（ＰＴＡ−３２６９）、ＰＳＭＡ  ５．４（ＰＴＡ−３２６８）、ＰＳＭＡ  ７．１（ＰＴＡ−３２９２）、ＰＳＭＡ  ７．３（ＰＴＡ−３２９３）、ＰＳＭＡ  １０．３（ＰＴＡ−３２４７）、ＰＳＭＡ  １．８．３（ＰＴＡ−３９０６）、ＰＳＭＡ  Ａ３．１．３（ＰＴＡ−３９０４）、ＰＳＭＡ  Ａ３．３．１（ＰＴＡ−３９０５）、Ａｂｇｅｎｉｘ  ４．２４８．２（ＰＴＡ−４４２７）、Ａｂｇｅｎｉｘ  ４．３６０．３（ＰＴＡ−４４２８）、Ａｂｇｅｎｉｘ  ４．７．１（ＰＴＡ−４４２９）、Ａｂｇｅｎｉｘ  ４．４．１（ＰＴＡ−４５５６）、Ａｂｇｅｎｉｘ  ４．１７７．３（ＰＴＡ−４５５７）、Ａｂｇｅｎｉｘ  ４．１６．１（ＰＴＡ−４３５７）、Ａｂｇｅｎｉｘ  ４．２２．３（ＰＴＡ−４３５８）、Ａｂｇｅｎｉｘ  ４．２８．３（ＰＴＡ−４３５９）、Ａｂｇｅｎｉｘ  ４．４０．２（ＰＴＡ−４３６０）、Ａｂｇｅｎｉｘ  ４．４８．３（ＰＴＡ−４３６１）、Ａｂｇｅｎｉｘ  ４．４９．１（ＰＴＡ−４３６２）、Ａｂｇｅｎｉｘ  ４．２０９．３（ＰＴＡ−４３６５）、Ａｂｇｅｎｉｘ  ４．２１９．３（ＰＴＡ−４３６６）、Ａｂｇｅｎｉｘ  ４．２８８．１（ＰＴＡ−４３６７）、Ａｂｇｅｎｉｘ  ４．３３３．１（ＰＴＡ−４３６８）、Ａｂｇｅｎｉｘ  ４．５４．１（ＰＴＡ−４３６３）、Ａｂｇｅｎｉｘ  ４．１５３．１（ＰＴＡ−４３８８）、Ａｂｇｅｎｉｘ  ４．２３２．３（ＰＴＡ−４３８９）、Ａｂｇｅｎｉｘ  ４．２９２．３（ＰＴＡ−４３９０）、Ａｂｇｅｎｉｘ  ４．３０４．１（ＰＴＡ−４３９１）、Ａｂｇｅｎｉｘ  ４．７８．１（ＰＴＡ−４６５２）、およびＡｂｇｅｎｉｘ  ４．１５２．１．（ＰＴＡ−４６５３）からなる群から選択されるハイブリドーマ細胞株によって産生されるモノクローナル抗体である、単離された抗体またはその抗原結合性フラグメント。
【請求項８５】
前記抗体またはその抗原結合性フラグメントが、立体配座エピトープに結合する、請求項１に記載の単離された抗体またはその抗原結合性フラグメント。
【請求項８６】
前記抗体またはその抗原結合性フラグメントが、前立腺特異膜抗原とともに細胞内に内在化され、請求項１に記載の単離されたモノクローナル抗体またはその抗原結合性フラグメント。
【請求項８７】
ＰＳＭＡ  ３．７、ＰＳＭＡ  ３．８、ＰＳＭＡ  ３．９、ＰＳＭＡ  ３．１１、ＰＳＭＡ  ５．４、ＰＳＭＡ  ７．１、ＰＳＭＡ  ７．３、ＰＳＭＡ  １０．３、ＰＳＭＡ  １．８．３、ＰＳＭＡ  Ａ３．１．３、ＰＳＭＡ  Ａ３．３．１、Ａｂｇｅｎｉｘ  ４．２４８．２、Ａｂｇｅｎｉｘ  ４．３６０．３、Ａｂｇｅｎｉｘ  ４．７．１、Ａｂｇｅｎｉｘ  ４．４．１、Ａｂｇｅｎｉｘ  ４．１７７．３、Ａｂｇｅｎｉｘ  ４．１６．１、Ａｂｇｅｎｉｘ  ４．２２．３、Ａｂｇｅｎｉｘ  ４．２８．３、Ａｂｇｅｎｉｘ  ４．４０．２、Ａｂｇｅｎｉｘ  ４．４８．３、Ａｂｇｅｎｉｘ  ４．４９．１、Ａｂｇｅｎｉｘ  ４．２０９．３、Ａｂｇｅｎｉｘ  ４．２１９．３、Ａｂｇｅｎｉｘ  ４．２８８．１、Ａｂｇｅｎｉｘ  ４．３３３．１、Ａｂｇｅｎｉｘ  ４．５４．１、Ａｂｇｅｎｉｘ  ４．１５３．１、Ａｂｇｅｎｉｘ  ４．２３２．３、Ａｂｇｅｎｉｘ  ４．２９２．３、Ａｂｇｅｎｉｘ  ４．３０４．１、Ａｂｇｅｎｉｘ  ４．７８．１およびＡｂｇｅｎｉｘ  ４．１５２．１からなる群から選択される抗体を産生する、ハイブリドーマ細胞株。
【請求項８８】
請求項８７に記載のハイブリドーマ細胞株であって、該ハイブリドーマ細胞株が、ＰＳＭＡ  ３．７（ＰＴＡ−３２５７）、ＰＳＭＡ  ３．８、ＰＳＭＡ  ３．９（ＰＴＡ−３２５８）、ＰＳＭＡ  ３．１１（ＰＴＡ−３２６９）、ＰＳＭＡ  ５．４（ＰＴＡ−３２６８）、ＰＳＭＡ  ７．１（ＰＴＡ−３２９２）、ＰＳＭＡ  ７．３（ＰＴＡ−３２９３）、ＰＳＭＡ  １０．３（ＰＴＡ−３２４７）、ＰＳＭＡ  １．８．３（ＰＴＡ−３９０６）、ＰＳＭＡ  Ａ３．１．３（ＰＴＡ−３９０４）、ＰＳＭＡ  Ａ３．３．１（ＰＴＡ−３９０５）、Ａｂｇｅｎｉｘ  ４．２４８．２（ＰＴＡ−４４２７）、Ａｂｇｅｎｉｘ  ４．３６０．３（ＰＴＡ−４４２８）、Ａｂｇｅｎｉｘ  ４．７．１（ＰＴＡ−４４２９）、Ａｂｇｅｎｉｘ  ４．４．１（ＰＴＡ−４５５６）、Ａｂｇｅｎｉｘ  ４．１７７．３（ＰＴＡ−４５５７）、Ａｂｇｅｎｉｘ  ４．１６．１（ＰＴＡ−４３５７）、Ａｂｇｅｎｉｘ  ４．２２．３（ＰＴＡ−４３５８）、Ａｂｇｅｎｉｘ  ４．２８．３（ＰＴＡ−４３５９）、Ａｂｇｅｎｉｘ  ４．４０．２（ＰＴＡ−４３６０）、Ａｂｇｅｎｉｘ  ４．４８．３（ＰＴＡ−４３６１）、Ａｂｇｅｎｉｘ  ４．４９．１（ＰＴＡ−４３６２）、Ａｂｇｅｎｉｘ  ４．２０９．３（ＰＴＡ−４３６５）、Ａｂｇｅｎｉｘ  ４．２１９．３（ＰＴＡ−４３６６）、Ａｂｇｅｎｉｘ  ４．２８８．１（ＰＴＡ−４３６７）、Ａｂｇｅｎｉｘ  ４．３３３．１（ＰＴＡ−４３６８）、Ａｂｇｅｎｉｘ  ４．５４．１（ＰＴＡ−４３６３）、Ａｂｇｅｎｉｘ  ４．１５３．１（ＰＴＡ−４３８８）、Ａｂｇｅｎｉｘ  ４．２３２．３（ＰＴＡ−４３８９）、Ａｂｇｅｎｉｘ  ４．２９２．３（ＰＴＡ−４３９０）、Ａｂｇｅｎｉｘ  ４．３０４．１（ＰＴＡ−４３９１）、Ａｂｇｅｎｉｘ  ４．７８．１（ＰＴＡ−４６５２）、およびＡｂｇｅｎｉｘ  ４．１５２．１．（ＰＴＡ−４６５３）からなる群から選択される、ハイブリドーマ細胞株。
【請求項８９】
請求項１〜３４のいずれか１項に記載の抗体またはその抗原結合性フラグメントおよび薬学的に受容可能なキャリア、賦形剤、または安定剤を含む、組成物。
【請求項９０】
抗腫瘍剤、免疫刺激剤、免疫調節剤、またはそれらの組み合わせをさらに含む、請求項８９に記載の組成物。
【請求項９１】
前記抗腫瘍剤が、細胞傷害性薬剤、腫瘍血管新生に作用する薬剤、またはそれらの組み合わせである、請求項９０に記載の組成物。
【請求項９２】
前記免疫調節剤が、α−インターフェロン、γ−インターフェロン、腫瘍壊死因子−αまたはそれらの組み合わせである、請求項９０に記載の組成物。
【請求項９３】
前記免疫刺激剤が、インターロイキン−２、免疫刺激オリゴヌクレオチド、またはそれらの組み合わせである、請求項９０に記載の組成物。
【請求項９４】
請求項１〜３４のいずれかの１項に記載の、２つ以上の抗体またはその抗原結合性フラグメントおよび薬学的に受容可能キャリア、賦形剤、または安定剤の組み合わせを含む、組成物。
【請求項９５】
抗腫瘍剤、免疫刺激剤、免疫調節剤、またはそれらの組み合わせをさらに含む、請求項９４に記載の組成物。
【請求項９６】
前記抗腫瘍剤が、細胞傷害性薬剤、腫瘍血管新生に作用する薬剤、またはそれらの組み合わせである、請求項９５に記載の組成物。
【請求項９７】
前記免疫調節剤が、α−インターフェロン、γ−インターフェロン、腫瘍壊死因子−αまたはそれらの組み合わせである、請求項９５に記載の組成物。
【請求項９８】
前記免疫刺激剤が、インターロイキン−２、免疫刺激オリゴヌクレオチド、またはそれらの組み合わせである、請求項９５に記載の組成物。
【請求項９９】
標識に結合された、請求項１に記載の単離された抗体またはその抗原結合性フラグメント。
【請求項１００】
請求項９９に記載の単離されたモノクローナル抗体またはその抗原結合性フラグメントであって、前記標識が、蛍光標識、酵素標識、放射性標識、核磁気共鳴活性標識、発光標識、および発色団標識からなる群から選択される、単離されたモノクローナル抗体またはその抗原結合性フラグメント。
【請求項１０１】
請求項９９に記載の抗体またはその抗原結合性フラグメントおよび薬学的に受容可能キャリア、賦形剤、または安定剤を含む、組成物。
【請求項１０２】
請求項１に記載の単離された抗体またはその抗原結合性フラグメントであって、該抗体またはその抗原結合性フラグメントが、約１×１０−９Ｍ未満の結合親和性で細胞表面ＰＳＭＡおよび／またはｒｓＰＳＭＡに特異的に結合する、単離された抗体またはその抗原結合性フラグメント。
【請求項１０３】
前記結合親和性が約１×１０−１０Ｍ未満である、請求項１０２に記載の単離された抗体またはその抗原結合性フラグメント。
【請求項１０４】
前記結合親和性が約１×１０−１１Ｍ未満である、請求項１０３に記載の単離された抗体またはその抗原結合性フラグメント。
【請求項１０５】
前記結合親和性が約５×１０−１０Ｍより小さい、請求項１０２に記載の単離された抗体またはその抗原結合性フラグメント。
【請求項１０６】
少なくとも１つの治療的部分と結合した、請求項１に記載の単離された抗体またはその抗原結合性フラグメント。
【請求項１０７】
請求項１０６に記載の単離された抗体またはその抗原結合性フラグメントであって、約１×１０−１０Ｍより小さいＩＣ５０で、該抗体またはその抗原結合性フラグメントがＰＳＭＡ発現細胞の特異的細胞殺傷を媒介する、単離された抗体またはその抗原結合性フラグメント。
【請求項１０８】
前記ＩＣ５０が約１×１０−１１Ｍより小さい、請求項１０７に記載の単離された抗体またはその抗原結合性フラグメント。
【請求項１０９】
前記ＩＣ５０が約１×１０−１２Ｍより小さい、請求項１０８に記載の単離された抗体またはその抗原結合性フラグメント。
【請求項１１０】
前記ＩＣ５０が約１．５×１０−１１Ｍより小さい、請求項１０７に記載の単離された抗体またはその抗原結合性フラグメント。
【請求項１１１】
前記治療的部分が薬剤である、請求項１０６に記載の単離された抗体またはその抗原結合性フラグメント。
【請求項１１２】
前記治療的部分が複製選択性ウイルスである、請求項１０６に記載の単離された抗体またはその抗原結合性フラグメント。
【請求項１１３】
前記薬剤が細胞傷害性の薬剤である、請求項１１１に記載の単離された抗体またはその抗原結合性フラグメント。
【請求項１１４】
請求項１１３に記載の単離された抗体またはその抗原結合性フラグメントであって、前記細胞傷害性薬剤が、カリケアマイシン（ｃａｌｉｃｈｅａｍｉｃｉｎ）、エスペラマイシン（ｅｓｐｅｒａｍｉｃｉｎ）、メトトレキサート、ドキソルビシン、メルファラン、クロラムブシル、ＡＲＡ−Ｃ、ビンデシン、マイトマイシン  Ｃ、シスプラチン、エトポシド、ブレオマイシン、５−フルオロウラシル、エストラスチン、ビンクリスチン、エトポシド、ドキソルビシン、パクリタキセル、ドセタキセル、ドラスタチン（ｄｏｌａｓｔａｔｉｎ）１０、アウリスタチンＥ（ａｕｒｉｓｔａｔｉｎ  Ｅ）およびアウリスタチンＰＨＥ、からなる群から選択される、単離された抗体またはその抗原結合性フラグメント。
【請求項１１５】
前記治療的部分が毒素またはそのフラグメントである、請求項１０６に記載の単離された抗体またはその抗原結合性フラグメント。
【請求項１１６】
前記治療的部分が酵素またはそのフラグメントである、請求項１０６に記載の単離された抗体またはその抗原結合性フラグメント。
【請求項１１７】
前記治療的部分が免疫刺激剤または免疫調節剤である、請求項１０６に記載の抗体またはその抗原結合性フラグメント。
【請求項１１８】
請求項１１７に記載の単離された抗体またはその抗原結合性フラグメントであって、前記免疫刺激剤または免疫調節剤が、サイトカイン、ケモカインおよびアジュバンドからなる群から選択される、抗体またはその抗原結合性フラグメント。
【請求項１１９】
請求項１０６に記載の抗体または抗原結合性フラグメントと、薬学的に受容可能なキャリア、賦形剤、または安定剤と、を含む組成物。
【請求項１２０】
放射性同位体に結合された、請求項１に記載の単離された抗体またはその抗原結合性フラグメント。
【請求項１２１】
請求項１２０に記載の単離された抗体またはその抗原結合性フラグメントであって、前記放射性同位体がα放射線を放射する、抗体またはその抗原結合性フラグメント。
【請求項１２２】
請求項１２０に記載の単離された抗体またはその抗原結合性フラグメントであって、前記放射性同位体がβ放射線を放射する、抗体またはその抗原結合性フラグメント。
【請求項１２３】
請求項１２０に記載の単離された抗体またはその抗原結合性フラグメントであって、前記放射性同位体がγ放射線を放射する、抗体またはその抗原結合性フラグメント。
【請求項１２４】
請求項１２０に記載の単離された抗体またはその抗原結合性フラグメントであって、前記放射性同位体が、２２５Ａｃ、２１１Ａｔ、２１２Ｂｉ、２１３Ｂｉ、１８６Ｒｈ、１８８Ｒｈ、１７７Ｌｕ、９０Ｙ、１３１Ｉ、６７Ｃｕ、１２５Ｉ、１２３Ｉ、７７Ｂｒ、１５３Ｓｍ、１６６Ｈｏ、６４Ｃｕ、２１２Ｐｂ、２２４Ｒａおよび２２３Ｒａからなる群から選択される、抗体またはその抗原結合性フラグメント。
【請求項１２５】
請求項１２０に記載の単離された抗体またはその抗原結合性フラグメントと、薬学的に受容可能なキャリア、賦形剤、または安定剤と、を含む組成物。
【請求項１２６】
診断、予後またはモニタリングのために前立腺癌を検出するためのキットであって、
請求項９９に記載の単離され標識された抗体またはその抗原結合性フラグメント、および該標識を検出するための１つ以上の化合物、を含む、キット。
【請求項１２７】
請求項１２６に記載のキットであって、前記標識は、蛍光標識、酵素標識、放射性標識、核磁気共鳴活性標識、発光標識、および発色団標識からなる群から選択される、キット。
【請求項１２８】
凍結乾燥形態でパッケージされた、請求項１、９９、１０６または１２０のうちのいずれかに記載の単離された抗体またはその抗原結合性フラグメント。
【請求項１２９】
水性媒体中にパッケージされた、請求項１、９９、１０６または１２０のうちのいずれかに記載の単離された抗体またはその抗原結合性フラグメント。
【請求項１３０】
前立腺特異膜抗原（ＰＳＭＡ）上のエピトープに特異的に結合する単離された抗体またはその抗原結合性フラグメントであって、該ＰＳＭＡが、ＰＳＭＡ  ３．７、ＰＳＭＡ  ３．８、ＰＳＭＡ  ３．９、ＰＳＭＡ  ３．１１、ＰＳＭＡ  ５．４、ＰＳＭＡ  ７．１、ＰＳＭＡ  ７．３、ＰＳＭＡ  １０．３、ＰＳＭＡ  １．８．３、ＰＳＭＡ  Ｂ３．１．３、ＰＳＭＡ  Ｂ３．３．１、Ａｂｇｅｎｉｘ  ４．２４８．２、Ａｂｇｅｎｉｘ  ４．３６０．３、Ａｂｇｅｎｉｘ  ４．７．１、Ａｂｇｅｎｉｘ  ４．４．１、Ａｂｇｅｎｉｘ  ４．１７７．３、Ａｂｇｅｎｉｘ  ４．１６．１、Ａｂｇｅｎｉｘ  ４．２２．３、Ａｂｇｅｎｉｘ  ４．２８．３、Ａｂｇｅｎｉｘ  ４．４０．２、Ａｂｇｅｎｉｘ  ４．４８．３、Ａｂｇｅｎｉｘ  ４．４９．１、Ａｂｇｅｎｉｘ  ４．２０９．３、Ａｂｇｅｎｉｘ  ４．２１９．３、Ａｂｇｅｎｉｘ  ４．２８８．１、Ａｂｇｅｎｉｘ  ４．３３３．１、Ａｂｇｅｎｉｘ  ４．５４．１、Ａｂｇｅｎｉｘ  ４．１５３．１、Ａｂｇｅｎｉｘ  ４．２３２．３、Ａｂｇｅｎｉｘ  ４．２９２．３、Ａｂｇｅｎｉｘ  ４．３０４．１、Ａｂｇｅｎｉｘ  ４．７８．１、Ａｂｇｅｎｉｘ  ４．１５２．１、ならびに
（ａ）配列番号２〜７として示されるヌクレオチド配列からなる群から選択されるヌクレオチド配列のコード領域を含む核酸分子によってコードされる重鎖と    
（ｂ）配列番号８〜１３として示されるヌクレオチド配列からなる群から選択されるヌクレオチド配列のコード領域を含む核酸分子によってコードされる軽鎖と
を含む抗体からなる群から選択される抗体によって定義される、抗体またはその抗原結合性フラグメント。
【請求項１３１】
請求項１３０に記載の単離された抗体またはその抗原結合性フラグメントであって、該抗体またはその抗原結合性フラグメントが、ＰＳＭＡ  ３．７、ＰＳＭＡ  ３．８、ＰＳＭＡ  ３．９、ＰＳＭＡ  ３．１１、ＰＳＭＡ  ５．４、ＰＳＭＡ  ７．１、ＰＳＭＡ  ７．３、ＰＳＭＡ  １０．３、ＰＳＭＡ  １．８．３、ＰＳＭＡ  Ｂ３．１．３、ＰＳＭＡ
Ｂ３．３．１、Ａｂｇｅｎｉｘ  ４．２４８．２、Ａｂｇｅｎｉｘ  ４．３６０．３、Ａｂｇｅｎｉｘ  ４．７．１、Ａｂｇｅｎｉｘ  ４．４．１、Ａｂｇｅｎｉｘ  ４．１７７．３、Ａｂｇｅｎｉｘ  ４．１６．１、Ａｂｇｅｎｉｘ  ４．２２．３、Ａｂｇｅｎｉｘ  ４．２８．３、Ａｂｇｅｎｉｘ  ４．４０．２、Ａｂｇｅｎｉｘ  ４．４８．３、Ａｂｇｅｎｉｘ  ４．４９．１、Ａｂｇｅｎｉｘ  ４．２０９．３、Ａｂｇｅｎｉｘ  ４．２１９．３、Ａｂｇｅｎｉｘ  ４．２８８．１、Ａｂｇｅｎｉｘ  ４．３３３．１、Ａｂｇｅｎｉｘ  ４．５４．１、Ａｂｇｅｎｉｘ  ４．１５３．１、Ａｂｇｅｎｉｘ  ４．２３２．３、Ａｂｇｅｎｉｘ  ４．２９２．３、Ａｂｇｅｎｉｘ  ４．３０４．１、Ａｂｇｅｎｉｘ  ４．７８．１、Ａｂｇｅｎｉｘ  ４．１５２．１およびその抗原結合性フラグメントからなる群から選択される、抗体またはその抗原結合性フラグメント。
【請求項１３２】
請求項１３０に記載の単離された抗体またはその抗原結合性フラグメントであって、該抗体またはその抗原結合性フラグメントが、
（ａ）配列番号２〜７として示されるヌクレオチド配列からなる群から選択されるヌクレオチド配列の重鎖コード領域を含む核酸分子によってコードされる重鎖と、
（ｂ）配列番号８〜１３として示されるヌクレオチド配列からなる群から選択されるヌクレオチド配列の軽鎖コード領域を含む核酸分子によってコードされる軽鎖と
を含む抗体、およびその抗原結合性フラグメントからなる群から選択される、抗体またはその抗原結合性フラグメント。
【請求項１３３】
前立腺特異膜抗原上のエピトープに特異的に結合する単離された抗体であって、該抗体は、請求項１３２に記載の抗体をコードするヌクレオチド配列と少なくとも約９０％同一であるヌクレオチド配列を含む核酸分子によってコードされる、抗体。
【請求項１３４】
請求項１３３に記載の単離された抗体であって、該抗体は、少なくとも約９５％同一であるヌクレオチド配列を含む核酸分子によってコードされる、抗体。
【請求項１３５】
請求項１３３に記載の単離された抗体であって、該抗体は、少なくとも約９７％同一であるヌクレオチド配列を含む核酸分子によってコードされる、抗体。
【請求項１３６】
請求項１３３に記載の単離された抗体であって、該抗体は、少なくとも約９８％同一であるヌクレオチド配列を含む核酸分子によってコードされる、抗体。
【請求項１３７】
請求項１３３に記載の単離された抗体であって、該抗体は、少なくとも約９９％同一であるヌクレオチド配列を含む核酸分子によってコードされる、抗体。
【請求項１３８】
請求項１３２に記載の単離された抗体の抗原結合性フラグメントであって、
（ａ）配列番号１４、１８、２２、２６および３０として示されるヌクレオチド配列からなる群から選択されるヌクレオチド配列のコード領域を含む核酸分子によってコードされる重鎖可変領域、および
（ｂ）配列番号１６、２０、２４、２８および３２として示されるヌクレオチド配列からなる群から選択されるヌクレオチド配列のコード領域を含む核酸分子によってコードされる軽鎖可変領域、
を含む、抗原結合性フラグメント。
【請求項１３９】
請求項１３２に記載の単離された抗体の抗原結合性フラグメントであって、
（ａ）配列番号１５、１９、２３、２７および３１として示されるアミノ酸配列からなる群から選択されるアミノ酸配列を含む重鎖可変領域、および
（ｂ）配列番号１７、２１、２５、２９および３３として示されるヌクレオチド配列からなる群から選択されるアミノ酸配列を含む軽鎖可変領域、
を含む、抗原結合性フラグメント。
【請求項１４０】
請求項１３８または請求項１３９に記載の抗原結合性フラグメントのＣＤＲを含む、単離された抗原結合性フラグメント。
【請求項１４１】
ＣＤＲがＣＤＲ３である、請求項１４０に記載の単離された抗原結合性フラグメント。
【請求項１４２】
請求項１３０〜１３８のうちのいずれか１つに記載の単離された抗体またはその抗原結合性フラグメントをコードする、単離された核酸分子を含む発現ベクター。
【請求項１４３】
請求項１４２に記載の発現ベクターによって形質転換またはトランスフェクトされた、宿主細胞。
【請求項１４４】
請求項１３０に記載の単離された抗体またはその抗原結合性フラグメントであって、該抗体またはその抗原結合性フラグメントは、生細胞に結合する能力について選択される、抗体またはその抗原結合性フラグメント。
【請求項１４５】
請求項１４４に記載の単離された抗体またはその抗原結合性フラグメントであって、前記細胞が腫瘍細胞である、抗体またはその抗原結合性フラグメント。
【請求項１４６】
請求項１４５に記載の単離された抗体またはその抗原結合性フラグメントであって、前記腫瘍細胞が前立腺腫瘍細胞である、抗体またはその抗原結合性フラグメント。
【請求項１４７】
請求項１４６に記載の単離された抗体またはその抗原結合性フラグメントであって、前記腫瘍細胞がＬＮＣａＰ細胞である、抗体またはその抗原結合性フラグメント。
【請求項１４８】
請求項１３０に記載の単離された抗体またはその抗原結合性フラグメントであって、該抗体またはその抗原結合性フラグメントが、ＰＳＭＡを発現している細胞の細胞溶解を媒介する、抗体またはその抗原結合性フラグメント。
【請求項１４９】
ＰＳＭＡを発現している細胞の細胞溶解がエフェクター細胞によって媒介される、請求項１４８に記載の単離された抗体またはその抗原結合性フラグメント。
【請求項１５０】
ＰＳＭＡを発現している細胞の細胞溶解が、エフェクター細胞の存在下で補体媒介される、請求項１４８に記載の単離された抗体またはその抗原結合性フラグメント。
【請求項１５１】
請求項１３０に記載の単離された抗体またはその抗原結合性フラグメントであって、該抗体またはその抗原結合性フラグメントが、ＰＳＭＡを発現している細胞の増殖を抑制する、抗体またはその抗原結合性フラグメント。
【請求項１５２】
請求項１３０に記載の単離された抗体またはその抗原結合性フラグメントであって、該抗体またはその抗原結合性フラグメントは、ＰＳＭＡ上のエピトープに結合するために細胞溶解を必要としない、抗体またはその抗原結合性フラグメント。
【請求項１５３】
請求項１３０に記載の単離された抗体またはその抗原結合性フラグメントであって、該抗体またはその抗原結合性フラグメントが、ＩｇＧ１、ＩｇＧ２、ＩｇＧ３、ＩｇＧ４、ＩｇＭ、ＩｇＡ１、ＩｇＡ２、ＩｇＡｓｅｃ、ＩｇＤ、ＩｇＥからなる群から選択されるか、またはＩｇＧ１、ＩｇＧ２、ＩｇＧ３、ＩｇＧ４、ＩｇＭ、ＩｇＡ１、ＩｇＡ２、ＩｇＡｓｅｃ、ＩｇＡもしくかＩｇＥの免疫グロブリン定常ドメインおよび／または免疫グロブリン可変ドメインを有する、抗体またはその抗原結合性フラグメント。
【請求項１５４】
請求項１３０に記載の単離された抗体またはその抗原結合性フラグメントであって、該抗体が組み換え抗体である、抗体またはその抗原結合性フラグメント。
【請求項１５５】
請求項１３０に記載の単離された抗体またはその抗原結合性フラグメントであって、該抗体がポリクローナル抗体である、抗体またはその抗原結合性フラグメント。
【請求項１５６】
請求項１３０に記載の単離された抗体またはその抗原結合性フラグメントであって、該抗体がモノクローナル抗体である、抗体またはその抗原結合性フラグメント。
【請求項１５７】
請求項１３０に記載の単離された抗体またはその抗原結合性フラグメントであって、該抗体はヒト化された抗体である、抗体またはその抗原結合性フラグメント。
【請求項１５８】
請求項１５７に記載の単離された抗体またはその抗原結合性フラグメントであって、該抗体はモノクローナル抗体である、抗体またはその抗原結合性フラグメント。
【請求項１５９】
請求項１５７に記載の単離された抗体またはその抗原結合性フラグメントであって、該抗体はポリクローナル抗体である、抗体またはその抗原結合性フラグメント。
【請求項１６０】
請求項１５７に記載の単離された抗体またはその抗原結合性フラグメントであって、該抗体は、モノクローナル抗体および／またはポリクローナル抗体の混合物である、抗体またはその抗原結合性フラグメント。
【請求項１６１】
請求項１３０に記載の単離された抗体またはその抗原結合性フラグメントであって、該抗体はキメラ抗体である、抗体またはその抗原結合性フラグメント。
【請求項１６２】
請求項１６１に記載の単離された抗体またはその抗原結合性フラグメントであって、該抗体はモノクローナル抗体である、抗体またはその抗原結合性フラグメント。
【請求項１６３】
請求項１６１に記載の単離された抗体またはその抗原結合性フラグメントであって、該抗体はポリクローナル抗体である、抗体またはその抗原結合性フラグメント。
【請求項１６４】
請求項１６１に記載の単離された抗体またはその抗原結合性フラグメントであって、該抗体は、モノクローナル抗体および／またはポリクローナル抗体の混合物である、抗体またはその抗原結合性フラグメント。
【請求項１６５】
請求項１３０に記載の単離された抗体またはその抗原結合性フラグメントであって、該抗体はヒト抗体である、抗体またはその抗原結合性フラグメント。
【請求項１６６】
請求項１６５に記載の単離された抗体またはその抗原結合性フラグメントであって、該抗体はモノクローナル抗体である、抗体またはその抗原結合性フラグメント。
【請求項１６７】
請求項１６５に記載の単離された抗体またはその抗原結合性フラグメントであって、該抗体はポリクローナル抗体である、抗体またはその抗原結合性フラグメント。
【請求項１６８】
請求項１６５に記載の単離された抗体またはその抗原結合性フラグメントであって、該抗体は、モノクローナル抗体および／またはポリクローナル抗体の混合物である、抗体またはその抗原結合性フラグメント。
【請求項１６９】
請求項１３０に記載の単離された抗体またはその抗原結合性フラグメントであって、該抗体は、二重特異的抗体または多重特異的抗体である、抗体またはその抗原結合性フラグメント。
【請求項１７０】
請求項１３０に記載の単離された抗体またはその抗原結合性フラグメントであって、該単離された抗原結合性フラグメントは、Ｆａｂフラグメント、Ｆ（ａｂ’）２フラグメント、およびＦｖフラグメントＣＤＲ３からなる群から選択される、抗体またはその抗原結合性フラグメント。
【請求項１７１】
請求項１３０に記載の単離された抗体またはその抗原結合性フラグメントであって、該抗体は、ＰＳＭＡ  ３．７（ＰＴＡ−３２５７）、ＰＳＭＡ  ３．８、ＰＳＭＡ  ３．９（ＰＴＡ−３２５８）、ＰＳＭＡ  ３．１１（ＰＴＡ−３２６９）、ＰＳＭＡ  ５．４（ＰＴＡ−３２６８）、ＰＳＭＡ  ７．１（ＰＴＡ−３２９２）、ＰＳＭＡ  ７．３（ＰＴＡ−３２９３）、ＰＳＭＡ  １０．３（ＰＴＡ−３２４７）、ＰＳＭＡ  １．８．３（ＰＴＡ−３９０６）、ＰＳＭＡ  Ｂ３．１．３（ＰＴＡ−３９０４）、ＰＳＭＡ  Ｂ３．３．１（ＰＴＡ−３９０５）、Ａｂｇｅｎｉｘ  ４．２４８．２（ＰＴＡ−４４２７）、Ａｂｇｅｎｉｘ  ４．３６０．３（ＰＴＡ−４４２８）、Ａｂｇｅｎｉｘ  ４．７．１（ＰＴＡ−４４２９）、Ａｂｇｅｎｉｘ  ４．４．１（ＰＴＡ−４５５６）、Ａｂｇｅｎｉｘ  ４．１７７．３（ＰＴＡ−４５５７）、Ａｂｇｅｎｉｘ  ４．１６．１（ＰＴＡ−４３５７）、Ａｂｇｅｎｉｘ  ４．２２．３（ＰＴＡ−４３５８）、Ａｂｇｅｎｉｘ  ４．２８．３（ＰＴＡ−４３５９）、Ａｂｇｅｎｉｘ  ４．４０．２（ＰＴＡ−４３６０）、Ａｂｇｅｎｉｘ  ４．４８．３（ＰＴＡ−４３６１）、Ａｂｇｅｎｉｘ  ４．４９．１（ＰＴＡ−４３６２）、Ａｂｇｅｎｉｘ  ４．２０９．３（ＰＴＡ−４３６５）、Ａｂｇｅｎｉｘ  ４．２１９．３（ＰＴＡ−４３６６）、Ａｂｇｅｎｉｘ  ４．２８８．１（ＰＴＡ−４３６７）、Ａｂｇｅｎｉｘ  ４．３３３．１（ＰＴＡ−４３６８）、Ａｂｇｅｎｉｘ  ４．５４．１（ＰＴＡ−４３６３）、Ａｂｇｅｎｉｘ  ４．１５３．１（ＰＴＡ−４３８８）、Ａｂｇｅｎｉｘ  ４．２３２．３（ＰＴＡ−４３８９）、Ａｂｇｅｎｉｘ  ４．２９２．３（ＰＴＡ−４３９０）、Ａｂｇｅｎｉｘ  ４．３０４．１（ＰＴＡ−４３９１）、Ａｂｇｅｎｉｘ  ４．７８．１（ＰＴＡ−４６５２）、およびＡｂｇｅｎｉｘ  ４．１５２．１．（ＰＴＡ−４６５３）からなる群から選択されるハイブリドーマ細胞株によって産生されるモノクローナル抗体である、抗体またはその抗原結合性フラグメント。
【請求項１７２】
請求項１３０に記載の単離された抗体またはその抗原結合性フラグメントであって、該抗体またはその抗原結合性フラグメントは、コンフォメーショナルエピトープに結合する、抗体またはその抗原結合性フラグメント。
【請求項１７３】
請求項１３０に記載の単離された抗体またはその抗原結合性フラグメントであって、該抗体またはその抗原結合性フラグメントは、前記前立腺特異的膜抗原を有する細胞中に内部移行されている、抗体またはその抗原結合性フラグメント。
【請求項１７４】
ＰＳＭＡ  ３．７、ＰＳＭＡ  ３．８、ＰＳＭＡ  ３．９、ＰＳＭＡ３．１１、ＰＳＭＡ
５．４、ＰＳＭＡ  ７．１、ＰＳＭＡ  ７．３、ＰＳＭＡ  １０．３、ＰＳＭＡ  １．８．３、ＰＳＭＡ  Ｂ３．１．３、ＰＳＭＡ  Ｂ３．３．１、Ａｂｇｅｎｉｘ  ４．２４８．２、Ａｂｇｅｎｉｘ  ４．３６０．３、Ａｂｇｅｎｉｘ  ４．７．１、Ａｂｇｅｎｉｘ  ４．４．１、Ａｂｇｅｎｉｘ  ４．１７７．３、Ａｂｇｅｎｉｘ  ４．１６．１、Ａｂｇｅｎｉｘ  ４．２２．３、Ａｂｇｅｎｉｘ  ４．２８．３、Ａｂｇｅｎｉｘ  ４．４０．２、Ａｂｇｅｎｉｘ  ４．４８．３、Ａｂｇｅｎｉｘ  ４．４９．１、Ａｂｇｅｎｉｘ  ４．２０９．３、Ａｂｇｅｎｉｘ  ４．２１９．３、Ａｂｇｅｎｉｘ  ４．２８８．１、Ａｂｇｅｎｉｘ  ４．３３３．１、Ａｂｇｅｎｉｘ  ４．５４．１、Ａｂｇｅｎｉｘ
４．１５３．１、Ａｂｇｅｎｉｘ  ４．２３２．３、Ａｂｇｅｎｉｘ  ４．２９２．３、Ａｂｇｅｎｉｘ  ４．３０４．１、Ａｂｇｅｎｉｘ  ４．７８．１およびＡｂｇｅｎｉｘ  ４．１５２．１からなる群から選択される抗体を産生する、ハイブリドーマ細胞株。
【請求項１７５】
請求項１７４に記載のハイブリドーマ細胞株であって、該ハイブリドーマ細胞株は、ＰＳＭＡ  ３．７（ＰＴＡ−３２５７）、ＰＳＭＡ  ３．８、ＰＳＭＡ  ３．９（ＰＴＡ−３２５８）、ＰＳＭＡ  ３．１１（ＰＴＡ−３２６９）、ＰＳＭＡ  ５．４（ＰＴＡ−３２６８）、ＰＳＭＡ  ７．１（ＰＴＡ−３２９２）、ＰＳＭＡ  ７．３（ＰＴＡ−３２９３）、ＰＳＭＡ  １０．３（ＰＴＡ−３２４７）、ＰＳＭＡ  １．８．３（ＰＴＡ−３９０６）、ＰＳＭＡ  Ｂ３．１．３（ＰＴＡ−３９０４）、ＰＳＭＡ  Ｂ３．３．１（ＰＴＡ−３９０５）、Ａｂｇｅｎｉｘ  ４．２４８．２（ＰＴＡ−４４２７）、Ａｂｇｅｎｉｘ
４．３６０．３（ＰＴＡ−４４２８）、Ａｂｇｅｎｉｘ  ４．７．１（ＰＴＡ−４４２９）、Ａｂｇｅｎｉｘ  ４．４．１（ＰＴＡ−４５５６）、Ａｂｇｅｎｉｘ  ４．１７７．３（ＰＴＡ−４５５７）、Ａｂｇｅｎｉｘ  ４．１６．１（ＰＴＡ−４３５７）、Ａｂｇｅｎｉｘ  ４．２２．３（ＰＴＡ−４３５８）、Ａｂｇｅｎｉｘ  ４．２８．３（ＰＴＡ−４３５９）、Ａｂｇｅｎｉｘ  ４．４０．２（ＰＴＡ−４３６０）、Ａｂｇｅｎｉｘ  ４．４８．３（ＰＴＡ−４３６１）、Ａｂｇｅｎｉｘ  ４．４９．１（ＰＴＡ−４３６２）、Ａｂｇｅｎｉｘ  ４．２０９．３（ＰＴＡ−４３６５）、Ａｂｇｅｎｉｘ  ４．２１９．３（ＰＴＡ−４３６６）、Ａｂｇｅｎｉｘ  ４．２８８．１（ＰＴＡ−４３６７）、Ａｂｇｅｎｉｘ  ４．３３３．１（ＰＴＡ−４３６８）、Ａｂｇｅｎｉｘ  ４．５４．１（ＰＴＡ−４３６３）、Ａｂｇｅｎｉｘ  ４．１５３．１（ＰＴＡ−４３８８）、Ａｂｇｅｎｉｘ  ４．２３２．３（ＰＴＡ−４３８９）、Ａｂｇｅｎｉｘ４．２９２．３（ＰＴＡ−４３９０）、Ａｂｇｅｎｉｘ  ４．３０４．１（ＰＴＡ−４３９１）、Ａｂｇｅｎｉｘ  ４．７８．１（ＰＴＡ−４６５２）、およびＡｂｇｅｎｉｘ  ４．１５２．１．（ＰＴＡ−４６５３）からなる群から選択される、ハイブリドーマ細胞株。
【請求項１７６】
請求項１３０〜１４１のうちのいずれか１項に記載の抗体またはその抗原結合性フラグメントと、薬学的に受容可能なキャリア、賦形剤、または安定剤と、を含む組成物。
【請求項１７７】
請求項１７６に記載の組成物であって、抗腫瘍剤、免疫刺激剤、免疫調節剤、またはそれらの組み合わせをさらに含む、組成物。
【請求項１７８】
請求項１７７に記載の組成物であって、前記抗腫瘍剤が、細胞傷害性薬剤であるか、腫瘍新生血管系に対して作用する薬剤であるか、またはそれらの組み合わせである、組成物。
【請求項１７９】
請求項１７７に記載の組成物であって、前記免疫調節剤が、α−インターフェロン、γ−インターフェロン、腫瘍壊死因子−αまたはそれらの組み合わせである、組成物。
【請求項１８０】
請求項１７７に記載の組成物であって、前記免疫刺激剤が、インターロイキン−２、免疫刺激オリゴヌクレオチド、またはそれらの組み合わせである、組成物。
【請求項１８１】
２つ以上の請求項１３０〜１４１のいずれかの１項に記載の抗体またはその抗原結合性フラグメントの組み合わせと、薬学的に受容可能キャリア、賦形剤、または安定剤と、を含む組成物。
【請求項１８２】
請求項１８１に記載の組成物であって、抗腫瘍剤、免疫刺激剤、免疫調節剤、またはそれらの組み合わせをさらに含む、組成物。
【請求項１８３】
請求項１８２に記載の組成物であって、前記抗腫瘍剤が、細胞傷害性薬剤であるか、腫瘍新生血管系に対して作用する薬剤であるか、またはそれらの組み合わせである、組成物。
【請求項１８４】
請求項１８２に記載の組成物であって、前記免疫調節剤が、α−インターフェロン、γ−インターフェロン、腫瘍壊死因子−αまたはそれらの組み合わせである、組成物。
【請求項１８５】
請求項１８２に記載の組成物であって、前記免疫刺激剤が、インターロイキン−２、免疫刺激オリゴヌクレオチド、またはそれらの組み合わせである、組成物。
【請求項１８６】
請求項１３０に記載の単離された抗体またはその抗原結合性フラグメントであり、標識に結合する、抗体またはその抗原結合性フラグメント。
【請求項１８７】
請求項１８６に記載の単離されたモノクローナル抗体またはその抗原結合性フラグメントであり、前記標識が、蛍光標識、酵素標識、放射性標識、核磁気共鳴活性標識、発光性標識、および発色団標識からなる群から選択される、単離されたモノクローナル抗体またはその抗原結合性フラグメント。
【請求項１８８】
以下：
請求項１８６に記載の抗体またはその抗原結合性フラグメントおよび薬学的に受容可能なキャリア、賦形剤、または安定剤、
を含む組成物。
【請求項１８９】
請求項１３０に記載の単離された抗体またはその抗原結合性フラグメントであり、該抗体またはその抗原結合性フラグメントが、約１Ｘ１０−９Ｍ以下の結合親和性で細胞表面ＰＳＭＡおよび／またはｒｓＰＳＭＡに特異的に結合する、単離された抗体またはその抗原結合性フラグメント。
【請求項１９０】
請求項１８９に記載の単離された抗体またはその抗原結合性フラグメントであり、前記結合親和性が約１Ｘ１０−１０Ｍ未満である、単離された抗体またはその抗原結合性フラグメント。
【請求項１９１】
請求項１８９に記載の単離された抗体またはその抗原結合性フラグメントであり、前記結合親和性が約１Ｘ１０−１１Ｍ以下である、単離された抗体またはその抗原結合性フラグメント。
【請求項１９２】
請求項１８９に記載の単離された抗体またはその抗原結合性フラグメントであり、前記結合親和性が約５Ｘ１０−１０Ｍ未満である、単離された抗体またはその抗原結合性フラグメント。
【請求項１９３】
少なくとも１つの治療的部分と結合される、請求項１３０に記載の単離された抗体またはその抗原結合性フラグメント。
【請求項１９４】
請求項１９３に記載の単離された抗体またはその抗原結合性フラグメントであり、該抗体またはその抗原結合性フラグメントが、約１Ｘ１０−１０Ｍ未満のＩＣ５０でＰＳＭＡ発現細胞の特異的細胞殺傷を媒介する、単離された抗体またはその抗原結合性フラグメント。
【請求項１９５】
請求項１９４に記載の単離された抗体またはその抗原結合性フラグメントであり、前記ＩＣ５０が約１Ｘ１０−１１Ｍ未満である、抗体またはその抗原結合性フラグメント。
【請求項１９６】
請求項１９５に記載の単離された抗体またはその抗原結合性フラグメントであり、前記ＩＣ５０が約１Ｘ１０−１２Ｍ未満である、抗体またはその抗原結合性フラグメント。
【請求項１９７】
請求項１９４に記載の単離された抗体またはその抗原結合性フラグメントであり、前記ＩＣ５０が約１．５ｘ１０−１１Ｍ未満である、抗体またはその抗原結合性フラグメント。
【請求項１９８】
請求項１９３に記載の単離された抗体またはその抗原結合性フラグメントであり、前記治療的部分が薬物である、抗体またはその抗原結合性フラグメント。
【請求項１９９】
請求項１９３に記載の単離された抗体またはその抗原結合性フラグメントであり、前記治療的部分が複製選択的ウイルスである、抗体またはその抗原結合性フラグメント。
【請求項２００】
請求項１９８に記載の単離された抗体またはその抗原結合性フラグメントであり、前記薬剤が細胞傷害性薬剤である、抗体またはその抗原結合性フラグメント。
【請求項２０１】
請求項２００に記載の単離された抗体またはその抗原結合性フラグメントであり、前記細胞傷害性薬剤が、以下：カリケアマイシン、エスペラマイシン、メトトレキサート、ドキソルビシン、メルファラン、クロラムブシル、ＡＲＡ−Ｃ、ビンデシン、マイトマイシン  Ｃ、シスプラチンム、エトポシド、ブレオマイシン、５−フルオラウラシル、エストラスチン、ビンクリスチン、エトポシド、ドキソルビシン、バクリタキセル、ドセタキセル、ドラスタチン１０、アウリスタチンＥおよびアウリスタチンＰＨＥ、からなる群から選択される、抗体またはその抗原結合性フラグメント。
【請求項２０２】
請求項１９３に記載の単離された抗体またはその抗原結合性フラグメントであり、前記治療的部分が毒素またはそのフラグメントである、抗体またはその抗原結合性フラグメント。
【請求項２０３】
請求項１９３に記載の単離された抗体またはその抗原結合性フラグメントであり、前記治療的部分が酵素またはそのフラグメントである、抗体またはその抗原結合性フラグメント。
【請求項２０４】
請求項１９３に記載の単離された抗体またはその抗原結合性フラグメントであり、前記治療的部分が免疫刺激剤または免疫調節剤である、抗体またはその抗原結合性フラグメント。
【請求項２０５】
請求項２０４に記載の単離された抗体またはその抗原結合性フラグメントであり、前記免疫刺激剤または免疫調節剤が、以下：サイトカイン、ケモカインおよびアジュバントからなる群から選択される、抗体またはその抗原結合性フラグメント。
【請求項２０６】
以下：
請求項１９３に記載の抗体またはその抗原結合性フラグメントおよび薬学的に受容可能なキャリア、賦形剤、または安定剤
を含む組成物。
【請求項２０７】
放射性同位体に結合される、請求項１３０に記載の単離された抗体またはその抗原結合性フラグメント。
【請求項２０８】
請求項２０７に記載の単離された抗体またはその抗原結合性フラグメントであり、前記放射性同位体がα線を放射する、抗体またはその抗原結合性フラグメント。
【請求項２０９】
請求項２０７に記載の単離された抗体またはその抗原結合性フラグメントであり、前記放射性同位体がβ線を放射する、抗体またはその抗原結合性フラグメント。
【請求項２１０】
請求項２０７に記載の単離された抗体またはその抗原結合性フラグメントであり、前記放射性同位体がγ放射線を放射する、抗体またはその抗原結合性フラグメント。
【請求項２１１】
請求項２０７に記載の単離された抗体またはその抗原結合性フラグメントであり、前記放射性同位体が２２５Ａｃ、２１１Ａｔ、２１２Ｂｉ、２１３Ｂｉ、１８６Ｒｈ、１８８Ｒｈ、１７７Ｌｕ、９０Ｙ、１３１Ｉ、６７Ｃｕ、１２５Ｉ、１２３Ｉ、７７Ｂｒ、１５３Ｓｍ、１６６Ｈｏ、６４Ｃｕ、２１２Ｐｂ、２２４Ｒａおよび２２３Ｒａからなる群から選択される、抗体またはその抗原結合性フラグメント。
【請求項２１２】
請求項２０７に記載の単離された抗体またはその抗原結合性フラグメントおよび薬学的に受容可能なキャリア、賦形剤、または安定化剤を含む組成物。
【請求項２１３】
診断、予後またはモニタリングのために前立腺癌を検出するためのキットであり、以下：
請求項１８６に記載の単離され標識された抗体またはその抗原結合性フラグメント、および該標識を検出するための１つ以上の化合物、
を含む、キット。
【請求項２１４】
請求項２１３に記載のキットであり、前記標識は蛍光標識、酵素標識、放射性標識、核磁気共鳴活性標識、発光標識、および発色団標識からなる群から選択される、キット。
【請求項２１５】
凍結乾燥形態でパッケージされる請求項１３０、１８６、１９３または２０７に記載のうちのいずれかである、単離された抗体またはその抗原結合性フラグメント。
【請求項２１６】
水性培地中でパッケージされる、請求項１３０、１８６、１９３または２０７のいずれか１項に記載の、単離された抗体またはその抗原結合性フラグメント。
【請求項２１７】
ＰＳＭＡの存在、またはＰＳＭＡを発現する細胞を検出するための薬学的組成物であり、以下：
請求項１または１３０に記載の抗体またはその抗原結合性フラグメントを含み、ここで、複合体が、該抗体またはその抗原結合性フラグメントとＰＳＭＡとの間で形成され、
ここで、複合体の存在が、ＰＳＭＡまたはＰＳＭＡを発現する細胞の存在を示す、薬学的組成物。
【請求項２１８】
被験体におけるＰＳＭＡ媒介疾患を診断するための薬学的組成物であり、以下：
ＰＳＭＡ媒介疾患を有すると疑われるか、または以前にＰＳＭＡ媒介疾患に罹患すると診断された被験体に対する投与のために処方される、単独量の請求項１または１３０に記載の抗体またはその抗原結合性フラグメントを含み、
ここで、複合体が、該抗体またはその抗原結合性フラグメントとＰＳＭＡとの間で形成され、
ここで、ＰＳＭＡ媒介疾患を有すると疑われるか、または以前にＰＳＭＡ媒介疾患に罹患すると診断された被験体における、標的エピトープを含むＰＳＭＡ−抗体複合体またはＰＳＭＡ−抗原結合性フラグメント複合体の存在が、ＰＳＭＡ媒介疾患の存在を示す、薬学的組成物。
【請求項２１９】
請求項２１８に記載の薬学的組成物であり、前記ＰＳＭＡ媒介疾患が前立腺癌である、薬学的組成物。
【請求項２２０】
請求項２１８に記載の薬学的組成物であり、前記ＰＳＭＡ媒介疾患が非前立腺癌である、薬学的組成物。
【請求項２２１】
請求項２２０に記載の薬学的組成物であり、前記非前立腺癌が、移行細胞癌腫を含む膀胱癌；膵管癌腫を含む膵臓癌；非小細胞肺癌腫を含む肺癌；通常腎細胞癌腫を含む腎臓癌；軟部組織肉腫を含む肉腫；乳癌腫を含む乳癌；多形グリア芽腫を含む脳癌；神経内分泌性癌；結腸癌腫を含む結腸癌；精巣胎生期癌腫を含む精巣癌；および悪性黒色腫を含む黒色腫からなる群から選択される、薬学的組成物。
【請求項２２２】
請求項２１７または請求項２１８に記載の薬学的組成物であり、前記抗体または前記抗原結合性フラグメントが標識される、薬学的組成物。
【請求項２２３】
請求項２１７または請求項２１８に記載の薬学的組成物であり、第２抗体が、前記第１抗体またはその抗原結合性フラグメントを検出するために投与される、薬学的組成物。
【請求項２２４】
ＰＳＭＡ媒介疾患に罹患する被験体の予後を評価するための薬学的組成物であり：
ＰＳＭＡ媒介疾患を有すると疑われるか、または以前にＰＳＭＡ媒介疾患に罹患すると診断された被験体に対する投与のために処方される、有効量の請求項１または１３０に記載の抗体またはその抗原結合性フラグメントを含み、
ここで、複合体が、該抗体またはその抗原結合性フラグメントとＰＳＭＡとの間で形成され、
ここで、ＰＳＭＡ媒介疾患を有すると疑われるか、または以前にＰＳＭＡ媒介疾患に罹患すると診断された被験体における該複合体の量が、予後を示す、薬学的組成物。
【請求項２２５】
ＰＳＭＡ媒介疾患に罹患する被験体の処置の効果を評価するための薬学的組成物であり、以下：
ＰＳＭＡ媒介疾患を処置される被験体に対する投与のために処方される、有効量の請求項１または１３０に記載の抗体またはその抗原結合性フラグメントを含み、
ここで、複合体が、該抗体またはその抗原結合性フラグメントとＰＳＭＡとの間で形成され
ここで、ＰＳＭＡ媒介疾患を処置される該被験体における該複合体の量が、処置の有効性を示す、薬学的組成物。
【請求項２２６】
請求項２２４または請求項２２５に記載の薬学的組成物であり、前記ＰＳＭＡ媒介疾患が前立腺癌である、薬学的組成物。
【請求項２２７】
請求項２２４または請求項２２５に記載の薬学的組成物であり、前記ＰＳＭＡ媒介疾患が非前立腺癌である、薬学的組成物。
【請求項２２８】
請求項２２７に記載の薬学的組成物であり、前記非前立腺癌が、移行細胞癌腫を含む膀胱癌；膵管癌腫を含む膵臓癌；非小細胞肺癌腫を含む肺癌；通常腎細胞癌腫を含む腎臓癌；軟部組織肉腫を含む肉腫；乳癌腫を含む乳癌；多形グリア芽腫を含む脳癌；神経内分泌性癌；結腸癌腫を含む結腸癌；精巣胎生期癌を含む精巣癌；および悪性黒色腫を含む黒色腫からなる群から選択される、薬学的組成物。
【請求項２２９】
請求項２２４または請求項２２５に記載の薬学的組成物であり、前記抗体またはその抗原結合性フラグメントが標識される、薬学的組成物。
【請求項２３０】
請求項２２４または請求項２２５に記載の薬学的組成物であり、第２抗体が第１抗体またはその抗原結合性フラグメントを検出するために投与される、薬学的組成物。
【請求項２３１】
ＰＳＭＡを発現する細胞の増殖を阻害する薬学的組成物であり、以下：
該ＰＳＭＡを発現する細胞の増殖を抑制するために有効な量のＰＳＭＡの細胞外ドメインに特異的に結合する請求項１または１３０に記載の抗体またはその抗原結合性フラグメントを含む、薬学的組成物。
【請求項２３２】
ＰＳＭＡを発現する細胞溶解を誘導する薬学的組成物であり、以下：
該ＰＳＭＡを発現する細胞の細胞溶解を誘導するために有効な量のＰＳＭＡの細胞外ドメインに特異的に結合する請求項１または１３０に記載の抗体またはその抗原結合性フラグメントを含む、薬学的組成物。
【請求項２３３】
請求項２３２に記載の薬学的組成物で、前記細胞溶解がエフェクター細胞の存在下で生じる、薬学的組成物。
【請求項２３４】
請求項２３２に記載の薬学的組成物で、前記細胞溶解が補完媒介される、薬学的組成物。
【請求項２３５】
ＰＳＭＡ媒介疾患を処置または防止するための薬学的組成物であり、以下：
ＰＳＭＡ媒介疾患を処置または予防するための投与のために処方される、請求項１または１３０に記載の有効量の抗体またはその抗原結合性フラグメントを含む、薬学的組成物。
【請求項２３６】
請求項２３５に記載の薬学的組成物であり、前記ＰＳＭＡ媒介疾患が癌である、薬学的組成物。
【請求項２３７】
請求項２３６に記載の薬学的組成物であり、前記癌が前立腺癌である、薬学的組成物。
【請求項２３８】
請求項２３６に記載の薬学的組成物であり、前記癌が非前立腺癌である、薬学的組成物。
【請求項２３９】
ＰＳＭＡ媒介疾患を処置または予防するための薬学的組成物であり、以下：
ＰＳＭＡ媒介疾患を有するか、またはＰＳＭＡ媒介疾患を有する危険性のある被験体に対する投与のために処方される、ＰＳＭＡ媒介疾患を処置または予防するために有効な量の請求項１または１３０に記載の抗体またはその抗原結合性フラグメントを含む、薬学的組成物。
【請求項２４０】
請求項２３９に記載の薬学的組成物であり、前記ＰＳＭＡ媒介疾患が、癌である、薬学的組成物。
【請求項２４１】
請求項２４０に記載の薬学的組成物であり、前記癌が、前立腺癌である、薬学的組成物。
【請求項２４２】
請求項２４０に記載の薬学的組成物であり、前記癌が、非前立腺癌である、薬学的組成物。
【請求項２４３】
請求項２４２に記載の薬学的組成物であり、前記非前立腺癌が、移行細胞癌腫を含む膀胱癌；膵管癌腫を含む膵臓癌；非小細胞肺癌腫を含む肺癌；通常腎細胞癌腫を含む腎臓癌；軟部組織肉腫を含む肉腫；乳癌腫を含む乳癌；多形グリア芽腫を含む脳癌；神経内分泌性癌；結腸癌腫を含む結腸癌；精巣胎生期癌腫を含む精巣癌；および悪性黒色腫を含む黒色腫からなる群から選択される、薬学的組成物。
【請求項２４４】
前記抗体またはその抗原結合性フラグメントの投与の前、その間またはその後の任意の時における投与のために処方される、前記ＰＳＭＡ媒介疾患を処置または予防するための別の治療薬剤をさらに含む、請求項２３９に記載の薬学的組成物。
【請求項２４５】
請求項２４４に記載の薬学的組成物であり、前記治療薬剤がワクチンである、薬学的組成物。
【請求項２４６】
請求項２４５に記載の薬学的組成物であり、前記ワクチンが、ＰＳＭＡに対して前記被験体を免疫するために処方される、薬学的組成物。
【請求項２４７】
請求項２４４に記載の薬学的組成物であり、前記抗体またはその抗原結合性フラグメントが、少なくとも１つの治療的部分に結合される、薬学的組成物。
【請求項２４８】
請求項２４７に記載の薬学的組成物であり、前記治療的部分が細胞傷害性薬剤、腫瘍新生血管に対して作用する薬物、およびそれらの組み合わせである、薬学的組成物。
【請求項２４９】
請求項２４８に記載の薬学的組成物であり、前記細胞傷害性薬剤が、以下：カリケアマイシン、エスペラマイシン、メトトレキサート、ドキソルビシン、メルファラン、クロラムブシル、ＡＲＡ−Ｃ、ビンデシン、マイトマイシン  Ｃ、シスプラチン、エトポシド、ブレオマイシン、５−フルオラウラシル、エストラムスチン、ビンクリスチン、エトポシド、ドキソルビシン、パクリタキセル、ドセタキセル、ドラスタチン１０、アウリスタチンＥおよびアウリスタチンＰＨＥ、からなる群から選択される、薬学的組成物。
【請求項２５０】
請求項２４７に記載の薬学的組成物であり、前記抗体またはその抗原結合性フラグメントが放射性同位体に結合され、ここで、該放射性同位体によって放射される放射線がα線、β線およびγ線からなる群から選択される、薬学的組成物。
【請求項２５１】
請求項２５０に記載の薬学的組成物であり、前記放射性同位体が、２２５Ａｃ、２１１Ａｔ、２１２Ｂｉ、２１３Ｂｉ、１８６Ｒｈ、１８８Ｒｈ、１７７Ｌｕ、９０Ｙ、１３１Ｉ、６７Ｃｕ、１２５Ｉ、１２３Ｉ、７７Ｂｒ、１５３Ｓｍ、１６６Ｈｏ、６４Ｃｕ、２１２Ｐｂ、２２４Ｒａおよび２２３Ｒａからなる群から選択される、薬学的組成物。
【請求項２５２】
フォレートヒドロラーゼ活性を阻害するための薬学的組成物であり、以下：
一定量の請求項１または請求項１３０に記載の単離された抗体またはその抗原結合性フラグメントを含み、ここで、該単離された抗体またはその抗原結合性フラグメントは、フォレートヒドロラーゼポリペプチドと接触される場合、該フォレートヒドロラーゼ活性を阻害する、薬学的組成物。
【請求項２５３】
請求項２５２に記載の薬学的組成物であり、前記フォレートヒドロラーゼポリペプチドが単離される、薬学的組成物。
【請求項２５４】
請求項２５２に記載の薬学的組成物であり、前記フォレートヒドロラーゼポリペプチドが、細胞、細胞ホモジネート、組織、または組織ホモジネートからなる群から選択されるサンプル中に含まれる、薬学的組成物。
【請求項２５５】
請求項２５２に記載の薬学的組成物であり、前記フォレートヒドロラーゼポリペプチドが、生物中に含まれる、薬学的組成物。
【請求項２５６】
請求項２５５に記載される薬学的組成物であり、前記生物が動物である、薬学的組成物。
【請求項２５７】
請求項２５６に記載される薬学的組成物であり、前記動物が哺乳動物である、薬学的組成物。
【請求項２５８】
フォレートヒドロラーゼ活性を増強するための薬学的組成物であり、以下：
一定量の請求項１または請求項１３０に記載の単離された抗体またはそれらの抗原結合性フラグメントを含み、ここで、該単離された抗体またはそれらの抗原結合性フラグメントは、フォレートヒドロラーゼポリペプチドと接触される場合、該フォレートヒドロラーゼ活性を増強する、薬学的組成物。
【請求項２５９】
請求項２５８に記載の薬学的組成物で、前記フォレートヒドロラーゼポリペプチドが単離される、薬学的組成物。
【請求項２６０】
請求項２５８に記載の薬学的組成物で、前記フォレートヒドロラーゼポリペプチドが細胞、細胞ホモジネート、組織、または組織ホモジネートからなる群から選択されるサンプル中に含まれる、薬学的組成物。
【請求項２６１】
請求項２５８に記載の薬学的組成物で、前記フォレートヒドロラーゼポリペプチドが生物中に含まれる、薬学的組成物。
【請求項２６２】
請求項２６１に記載の薬学的組成物で、前記生物が動物である、薬学的組成物。
【請求項２６３】
請求項２６２に記載の薬学的組成物で、前記動物が哺乳動物である、薬学的組成物。
【請求項２６４】
Ｎアセチル化α連結酸性ジペプチダーゼ（ＮＡＡＬＡＤａｓｅ）活性を抑制するための薬学的組成物であり、
一定量の請求項１または請求項１３０に記載の単離された前記抗体またはそれらの抗原結合性フラグメントを含み、ここで、該単離された抗体またはそれらの抗原結合性フラグメントは、ＮＡＡＬＡＤａｓｅポリペプチドと接触される場合、ＮＡＡＬＡＤａｓｅ活性を阻害する、薬学的組成物。
【請求項２６５】
請求項２６４に記載の薬学的組成物で、前記ＮＡＡＬＡＤａｓｅポリペプチドが単離された、薬学的組成物。
【請求項２６６】
請求項２６４に記載の薬学的組成物で、前記ＮＡＡＬＡＤａｓｅポリペプチドが細胞、細胞ホモジネート、組織、または組織ホモジネートからなる群から選択されるサンプル中に含まれる、薬学的組成物。
【請求項２６７】
請求項２６４に記載の薬学的組成物で、前記ＮＡＡＬＡＤａｓｅポリペプチドが生物中に含まれる、薬学的組成物。
【請求項２６８】
請求項２６７に記載の薬学的組成物で、前記生物が動物である、薬学的組成物。
【請求項２６９】
請求項２６８に記載の薬学的組成物で、前記動物が哺乳動物である、薬学的組成物。
【請求項２７０】
Ｎアセチル化α連結酸性ジペプチダーゼ（ＮＡＡＬＡＤａｓｅ）活性を増強するための薬学的組成物であり、以下：
一定量の請求項１または請求項１３０に記載の単離された抗体またはそれらの抗原結合性フラグメントを含み、ここで、該単離された抗体またはそれらの抗原結合性フラグメントは、ＮＡＡＬＡＤａｓｅポリペプチドと接触される場合、ＮＡＡＬＡＤａｓｅ活性を増強する、薬学的組成物。
【請求項２７１】
請求項２７０に記載の薬学的組成物で、前記ＮＡＡＬＡＤａｓｅポリペプチドが単離された、薬学的組成物。
【請求項２７２】
請求項２７０に記載の薬学的組成物で、前記ＮＡＡＬＡＤａｓｅポリペプチドが細胞、細胞ホモジネート、組織、または組織ホモジネートからなる群から選択されるサンプル中に含まれる、薬学的組成物。
【請求項２７３】
請求項２７０に記載の薬学的組成物で、前記ＮＡＡＬＡＤａｓｅポリペプチドが生物中に含まれる、薬学的組成物。
【請求項２７４】
請求項２７３に記載の薬学的組成物で、前記生物が動物である、薬学的組成物。
【請求項２７５】
請求項２７４に記載の薬学的組成物で、前記動物が哺乳動物である、薬学的組成物。
【請求項２７６】
ジペプチジルジペプチダーゼＩＶ活性を抑制するための薬学的組成物であり、
一定量の請求項１または請求項１３０に記載の単離された抗体またはそれらの抗原結合性フラグメントを含み、ここで、該単離された抗体またはそれらの抗原結合性フラグメントは、ジペプチジルジペプチダーゼＩＶポリペプチドと接触される場合、ジペプチジルジペプチダーゼＩＶ活性を阻害する、薬学的組成物。
【請求項２７７】
請求項２７６に記載の薬学的組成物で、前記ジペプチジルジペプチダーゼＩＶポリペプチドが単離された、薬学的組成物。
【請求項２７８】
請求項２７６に記載の薬学的組成物で、前記ジペプチジルジペプチダーゼＩＶポリペプチドが細胞、細胞ホモジネート、組織、または組織ホモジネートからなる群から選択されるサンプル中に含まれる、薬学的組成物。
【請求項２７９】
請求項２７６に記載の薬学的組成物で、前記ジペプチジルジペプチダーゼＩＶポリペプチドが生物中に含まれる、薬学的組成物。
【請求項２８０】
請求項２７９に記載の薬学的組成物で、前記生物が動物である、薬学的組成物。
【請求項２８１】
請求項２８０に記載の薬学的組成物で、前記動物が哺乳動物である、薬学的組成物。
【請求項２８２】
ジペプチジルジペプチダーゼＩＶ活性を阻害するための薬学的組成物であり、
一定量の請求項１または請求項１３０に記載の単離された抗体またはそれらの抗原結合性フラグメントを含み、ここで、該単離された抗体またはそれらの抗原結合性フラグメントは、ジペプチジルジペプチダーゼＩＶポリペプチドと接触される場合、ジペプチジルジペプチダーゼＩＶ活性を増強する、薬学的組成物。
【請求項２８３】
請求項２８２に記載の薬学的組成物で、前記ジペプチジルジペプチダーゼＩＶポリペプチドが単離された、薬学的組成物。
【請求項２８４】
請求項２８２に記載の薬学的組成物で、前記ジペプチジルジペプチダーゼＩＶポリペプチドが細胞、細胞ホモジネート、組織、または組織ホモジネートからなる群から選択されるサンプル中に含まれる、薬学的組成物。
【請求項２８５】
請求項２８２に記載の薬学的組成物で、前記ジペプチジルジペプチダーゼＩＶポリペプチドが生物中に含まれる、薬学的組成物。
【請求項２８６】
請求項２８５に記載の薬学的組成物で、前記生物が動物である、薬学的組成物。
【請求項２８７】
請求項２８６に記載の薬学的組成物で、前記動物が哺乳動物である、薬学的組成物。
【請求項２８８】
γ−グルタミル加水分解酵素活性を抑制するための薬学的組成物であり、
一定量の請求項１または請求項１３０に記載の単離された抗体またはそれらの抗原結合性フラグメントを含み、ここで、該単離された抗体またはそれらの抗原結合性フラグメントは、γ−グルタミル加水分解酵素ポリペプチドと接触される場合、γ−グルタミル加水分解酵素活性を阻害する、薬学的組成物。
【請求項２８９】
請求項２８８に記載の薬学的組成物で、前記γ−グルタミル加水分解酵素ポリペプチドが単離された、薬学的組成物。
【請求項２９０】
請求項２８８に記載の薬学的組成物で、前記γ−グルタミル加水分解酵素ポリペプチドが細胞、細胞ホモジネート、組織、または組織ホモジネートからなる群から選択されるサンプル中に含まれる、薬学的組成物。
【請求項２９１】
請求項２８８に記載の薬学的組成物で、前記γ−グルタミル加水分解酵素ポリペプチドが生物中に含まれる、薬学的組成物。
【請求項２９２】
請求項２９１に記載の薬学的組成物で、前記生物が動物である、薬学的組成物。
【請求項２９３】
請求項２９２に記載の薬学的組成物で、前記動物が哺乳動物である、薬学的組成物。
【請求項２９４】
γ−グルタミル加水分解酵素活性を増強するための薬学的組成物であり、
一定量の請求項１または請求項１３０に記載の単離された抗体またはそれらの抗原結合性フラグメントを含み、ここで、該単離された抗体またはそれらの抗原結合性フラグメントは、γ−グルタミル加水分解酵素ポリペプチドと接触される場合、γ−グルタミル加水分解酵素活性を阻害する、薬学的組成物。
【請求項２９５】
請求項２９４に記載の薬学的組成物で、前記γ−グルタミル加水分解酵素ポリペプチドが単離された、薬学的組成物。
【請求項２９６】
請求項２９４に記載の薬学的組成物で、前記γ−グルタミル加水分解酵素ポリペプチドが細胞、細胞ホモジネート、組織、または組織ホモジネートからなる群から選択されるサンプル中に含まれる、薬学的組成物。
【請求項２９７】
請求項２９４に記載の薬学的組成物で、前記γ−グルタミル加水分解酵素ポリペプチドが生物中に含まれる、薬学的組成物。
【請求項２９８】
請求項２９７に記載の薬学的組成物で、前記生物が動物である、薬学的組成物。
【請求項２９９】
請求項２９８に記載の薬学的組成物で、前記動物が哺乳動物である、薬学的組成物。
【請求項３００】
少なくとも１つの治療薬剤のＰＳＭＡ発現細胞への特異的送達のために処方される薬学的組成物であり、以下：
少なくとも１つの治療薬剤と結合した、有効量の請求項１または１３０に記載の抗体またはそれらの抗原結合性フラグメントを含む、薬学的組成物。
【請求項３０１】
請求項３００に記載の薬学的組成物で、前記治療薬剤が核酸分子である、薬学的組成物。
【請求項３０２】
請求項３００に記載の薬学的組成物で、前記治療薬剤が抗腫瘍剤である、薬学的組成物。
【請求項３０３】
請求項３０２に記載の薬学的組成物で、前記抗腫瘍剤が、細胞傷害性薬剤、腫瘍で新生血管系を活発化させる薬剤、またはそれらの組み合わせである、薬学的組成物。
【請求項３０４】
請求項３０３に記載の薬学的組成物で、前記細胞傷害性薬剤が、カリケアマイシン、エスペラマイシン、メトトレキサート、ドキソルビシン、メルファラン、クロラムブシル、ＡＲＡ−Ｃ、ビンデシン、マイトマイシン  Ｃ、シスプラチン、エトポシド、ブレオマイシン、５−フルオラウラシル、エストラスチン、ビンクリスチン、エトポシド、ドキソルビシン、パクリタキセル、ドセタキセル、ドラスタチン１０、アウリスタチンＥおよびアウリスタチンＰＨＥ、からなる群から選択される、薬学的組成物。
【請求項３０５】
請求項３００に記載の薬学的組成物で、前記治療的部分が毒素またはフラグメントである、薬学的組成物。
【請求項３０６】
請求項３００に記載の薬学的組成物で、前記治療的部分が酵素またはフラグメントである、薬学的組成物。
【請求項３０７】
請求項３００に記載の薬学的組成物で、前記治療的部分が複製選択性ウイルス
ある、薬学的組成物。
【請求項３０８】
請求項３００に記載の薬学的組成物で、前記治療的部分が免疫刺激剤または免疫調節剤である、薬学的組成物。
【請求項３０９】
請求項３０８に記載の薬学的組成物で、前記免疫刺激剤または免疫調節剤が、以下：サイトカイン、ケモカインおよびアジュバントからなる群から選択される、薬学的組成物。
【請求項３１０】
ＰＳＭＡタンパク質マルチマーと選択的に結合する単離された抗体またはそれらの抗原結合性フラグメント。
【請求項３１１】
請求項３１０に記載の、単離された抗体またはそれらの抗原結合性フラグメントであり、前記ＰＳＭＡタンパク質マルチマーがダイマーである、抗体またはそれらの抗原結合性フラグメント。
【請求項３１２】
請求項３１１に記載の、単離された抗体またはそれらの抗原結合性フラグメントであり、前記マルチマーを形成するＰＳＭＡタンパク質のうちの少なくとも１つが組み換えの可溶性ＰＳＭＡ（ｒｓＰＳＭＡ）ポリペプチドである、抗体またはそれらの抗原結合性フラグメント。
【請求項３１３】
請求項３１２に記載の、単離された抗体またはそれらの抗原結合性フラグメントであり、前記ｒｓＰＳＭＡポリペプチドが本質的に配列番号１のアミノ酸４４〜７５０からなる、抗体またはそれらの抗原結合性フラグメント。
【請求項３１４】
ＰＳＭＡタンパク質マルチマーと選択的に結合する、単離された抗体またはそれらの抗原結合性フラグメントであり、該単離された抗体が少なくとも１つのＰＳＭＡタンパク質マルチマーの酵素活性を阻害する、抗体またはそれらの抗原結合性フラグメント。
【請求項３１５】
請求項３１４に記載の、単離された抗体またはそれらの抗原結合性フラグメントであり、前記酵素活性がフォレートヒドロラーゼ活性、ＮＡＡＬＡＤａｓｅ活性、ジペプチジルジペプチダーゼＩＶ活性、γ−グルタミル加水分解酵素活性およびそれらの組み合わせからなる群より選択される、抗体またはそれらの抗原結合性フラグメント。
【請求項３１６】
請求項３１４に記載の、単離された抗体またはそれらの抗原結合性フラグメントであり、前記酵素活性がＰＳＭＡ分子の細胞外ドメインに存在する、抗体またはそれらの抗原結合性フラグメント。
【請求項３１７】
請求項３１４に記載の、単離された抗体またはそれらの抗原結合性フラグメントであり、該抗体または該抗原結合性フラグメントがＰＳＭＡの細胞外ドメインに特異的に結合する、抗体またはそれらの抗原結合性フラグメント。
【請求項３１８】
ＰＳＭＡタンパク質マルチマーと特異的に結合する、単離された抗体またはそれらの抗原結合性フラグメントであり、該単離された抗体が少なくとも１つのＰＳＭＡタンパク質マルチマーの酵素活性を増強する、抗体またはそれらの抗原結合性フラグメント。
【請求項３１９】
請求項３１８に記載の、単離された抗体またはそれらの抗原結合性フラグメントであり、前記酵素活性が、フォレートヒドロラーゼ活性、ＮＡＡＬＡＤａｓｅ活性、ジペプチジルジペプチダーゼＩＶ活性、γ−グルタミル加水分解酵素活性およびそれらの組み合わせからなる群より選択される、抗体またはそれらの抗原結合性フラグメント。
【請求項３２０】
請求項３１８に記載の、単離された抗体またはそれらの抗原結合性フラグメントであり、前記酵素活性がＰＳＭＡ分子の細胞外ドメインに存在する、抗体またはそれらの抗原結合性フラグメント。
【請求項３２１】
請求項３１８に記載の、単離された抗体またはそれらの抗原結合性フラグメントであり、該抗体またはそれらの抗原結合性フラグメントが特異的にＰＳＭＡの細胞外ドメインに結合する、抗体またはそれらの抗原結合性フラグメント。
【請求項３２２】
請求項３１０〜３２１のいずれかに記載の単離された抗体またはそれらの抗原結合性フラグメント、および免疫調節性オリゴヌクレオチドを含む組成物。
【請求項３２３】
請求項３１０〜３２１のいずれかに記載の単離された抗体またはそれらの抗原結合性フラグメント、およびサイトカインを含む組成物。
【請求項３２４】
請求項３２３に記載の、組成物で、前記サイトカインがＩＬ−２、ＩＬ−１２、ＩＬ−１８およびＧＭ−ＣＳＦからなる群から選択される、組成物。
【請求項３２５】
請求項３２２〜３２４のいずれかに記載の組成物であり、さらに薬学的に受容可能なキャリアを含む、組成物。
【請求項３２６】
免疫応答を誘導するための薬学的組成物であり、被験体に対する投与のために処方される、請求項３１０〜３２５のいずれかに記載の単離された抗体または組成物の有効量を含む、薬学的組成物。
【請求項３２７】
選択的にＰＳＭＡタンパク質マルチマーと結合しそして少なくとも１つのＰＳＭＡの酵素活性を阻害する、単離された抗体またはそれらの抗原結合性フラグメント。
【請求項３２８】
請求項３２７に記載の単離された抗体またはその抗原結合性フラグメントであって、前記酵素は、ヒドロラーゼおよびペプチダーゼからなる群から選択される、抗体またはその抗原結合性フラグメント。
【請求項３２９】
請求項３２８に記載の単離された抗体またはその抗原結合性フラグメントであって、前記ヒドロラーゼは、フォレートヒドロラーゼおよびγ−グルタミルヒドロラーゼからなる群から選択される、抗体またはその抗原結合性フラグメント。
【請求項３３０】
請求項３２９に記載の単離された抗体またはその抗原結合性フラグメントであって、前記ヒドロラーゼは、フォレートヒドロラーゼであり、そして該抗体は、ｍＡｂ５．４またはｍＡｂ３．９である、抗体またはその抗原結合性フラグメント。
【請求項３３１】
請求項３２８に記載の単離された抗体またはその抗原結合性フラグメントであって、前記ペプチダーゼは、ＮＡＡＬＡＤａｓｅおよびジペプチジルジペプチダーゼＩＶからなる群から選択される、抗体またはその抗原結合性フラグメント。
【請求項３３２】
請求項３２７に記載の単離された抗体またはその抗原結合性フラグメントであって、前記酵素は、癌細胞において活性であり、かつ癌細胞においてよりも正常細胞においてより少ない活性を有するか、または正常細胞において活性を有さない、抗体またはその抗原結合性フラグメント。
【請求項３３３】
請求項３３２に記載の単離された抗体またはその抗原結合性フラグメントであって、前記癌細胞は、前立腺癌細胞である、抗体またはその抗原結合性フラグメント。
【請求項３３４】
選択的にＰＳＭＡタンパク質マルチマーに結合し、そして少なくとも１つのＰＳＭＡ酵素活性を増強する、単離された抗体またはその抗原結合性フラグメント。
【請求項３３５】
請求項３３４に記載の単離された抗体またはその抗原結合性フラグメントであって、前記酵素は、ヒドロラーゼおよびペプチダーゼからなる群から選択される、抗体またはその抗原結合性フラグメント。
【請求項３３６】
請求項３３５に記載の単離された抗体またはその抗原結合性フラグメントであって、前記ヒドロラーゼは、フォレートヒドロラーゼおよびγ−グルタミルヒドロラーゼからなる群から選択される、抗体またはその抗原結合性フラグメント。
【請求項３３７】
請求項３３５に記載の単離された抗体またはその抗原結合性フラグメントであって、前記ペプチダーゼは、ＮＡＡＬＡＤａｓｅおよびジペプチジルジペプチダーゼＩＶからなる群から選択される、抗体またはその抗原結合性フラグメント。
【請求項３３８】
請求項３３４に記載の単離された抗体またはその抗原結合性フラグメントであって、前記酵素は、正常細胞において活性であり、かつ正常細胞においてよりも癌細胞においてより少ない活性を有するか、または癌細胞において活性を有さない、抗体またはその抗原結合性フラグメント。
【請求項３３９】
請求項３３８に記載の単離された抗体またはその抗原結合性フラグメントであって、前記癌細胞は、前立腺癌細胞である、抗体またはその抗原結合性フラグメント。
【請求項３４０】
選択的にＰＳＭＡタンパク質マルチマーに結合する、単離された抗体またはその抗原結合性フラグメントであって、該単離された抗体は、動物のＰＳＭＡタンパク質マルチマーを含む調製物での免疫によって惹起される、抗体またはその抗原結合性フラグメント。
【請求項３４１】
請求項３２７〜３４０に記載の単離された抗体またはその抗原結合性フラグメント、および薬学的に受容可能なキャリアを含む組成物。
【請求項３４２】
単離されたＰＳＭＡタンパク質マルチマーを含む組成物。
【請求項３４３】
請求項３４２に記載の組成物であって、前記ＰＳＭＡタンパク質マルチマーはダイマーである、組成物。
【請求項３４４】
請求項３４２に記載の組成物であって、該組成物は、少なくとも約１０％のＰＳＭＡタンパク質マルチマーを含む、組成物。
【請求項３４５】
請求項３４４に記載の組成物であって、該組成物は、少なくとも約２０％のＰＳＭＡタンパク質マルチマーを含む、組成物。
【請求項３４６】
請求項３４５に記載の組成物であって、該組成物は、少なくとも約３０％のＰＳＭＡタンパク質マルチマーを含む、組成物。
【請求項３４７】
請求項３４６に記載の組成物であって、該組成物は、少なくとも約４０％のＰＳＭＡタンパク質マルチマーを含む、組成物。
【請求項３４８】
請求項３４７に記載の組成物であって、該組成物は、少なくとも約５０％のＰＳＭＡタンパク質マルチマーを含む、組成物。
【請求項３４９】
請求項３４８に記載の組成物であって、該組成物は、少なくとも約７５％のＰＳＭＡタンパク質マルチマーを含む、組成物。
【請求項３５０】
請求項３４９に記載の組成物であって、該組成物は、少なくとも約９０％のＰＳＭＡタンパク質マルチマーを含む、組成物。
【請求項３５１】
請求項３５０に記載の組成物であって、該組成物は、少なくとも約９５％のＰＳＭＡタンパク質マルチマーを含む、組成物。
【請求項３５２】
請求項３４２に記載の組成物であって、前記ＰＳＭＡタンパク質マルチマーは、非共有結合的に会合するＰＳＭＡタンパク質を含む、組成物。
【請求項３５３】
請求項３５２に記載の組成物であって、前記ＰＳＭＡタンパク質マルチマーは、非変性条件下で非共有結合的に会合する、組成物。
【請求項３５４】
請求項３４２〜３５３のうちのいずれかに記載の組成物であって、マルチマーを形成するＰＳＭＡタンパク質のうちの少なくとも１つは、組み換え可溶性ＰＳＭＡ（ｒｓＰＳＭＡ）ポリペプチドである、組成物。
【請求項３５５】
請求項３４２に記載の組成物であって、前記ＰＳＭＡタンパク質は、特異的にＰＳＭＡを認識するコンフォメーション特異的抗体と反応性を有する、組成物。
【請求項３５６】
請求項３４２に記載の組成物であって、前記ＰＳＭＡタンパク質マルチマーは、ネイティブなコンフォメーションのＰＳＭＡタンパク質を含む、組成物。
【請求項３５７】
請求項３４２に記載の組成物であって、前記ＰＳＭＡマルチマーは、酵素的に活性である、組成物。
【請求項３５８】
請求項３５７に記載の組成物であって、前記酵素活性は、ヒドロラーゼ活性、ＮＡＡＬＡＤａｓｅ活性、ジペプチジルジペプチダーゼＩＶ活性、γ−グルタミルヒドロラーゼ活性およびそれらの組み合わせからなる群から選択される、組成物。
【請求項３５９】
請求項３４２〜３５８のうちのいずれかに記載の組成物であって、さらにアジュバントを含む、組成物。
【請求項３６０】
請求項３４２〜３５８のうちのいずれかに記載の組成物であって、さらにサイトカインを含む、組成物。
【請求項３６１】
請求項３６０に記載の組成物であって、前記サイトカインは、ＩＬ−２、ＩＬ−１２、ＩＬ−１８およびＧＭ−ＣＳＦからなる群から選択される、組成物。
【請求項３６２】
請求項３４２〜３６１のうちのいずれかに記載の組成物であって、さらに薬学的に受容可能なキャリアを含む、組成物。
【請求項３６３】
免疫応答を誘導するための薬学的組成物であって、被験体に対する投与のために処方される、有効量の請求項３４２〜３６２のうちのいずれかに記載の組成物を含む、薬学的組成物。
【請求項３６４】
単離された組み換え可溶性ＰＳＭＡ（ｒｓＰＳＭＡ）タンパク質マルチマー。
【請求項３６５】
単離されたｒｓＰＳＭＡタンパク質のダイマー。
【請求項３６６】
請求項３６５に記載の単離されたｒｓＰＳＭＡタンパク質のダイマーであって、該ダイマーは、非共有結合的に会合するｒｓＰＳＭＡタンパク質を含む、単離されたｒｓＰＳＭＡタンパク質のダイマー。
【請求項３６７】
請求項３６６に記載の単離されたｒｓＰＳＭＡタンパク質のダイマーであって、該ｒｓＰＳＭＡタンパク質は、非変性条件下で非共有結合的に会合する、単離されたｒｓＰＳＭＡタンパク質のダイマー。
【請求項３６８】
請求項３６５に記載の単離されたｒｓＰＳＭＡタンパク質のダイマーであって、該単離されたｒｓＰＳＭＡタンパク質のダイマーは、特異的にＰＳＭＡを認識するコンフォメーション特異的抗体と反応性を有する、単離されたｒｓＰＳＭＡタンパク質のダイマー。
【請求項３６９】
請求項３６５に記載の、単離されたｒｓＰＳＭＡタンパク質のダイマーであって、該単離されたｒｓＰＳＭＡタンパク質のダイマーは、酵素的に活性である、単離されたｒｓＰＳＭＡタンパク質のダイマー。
【請求項３７０】
請求項３６９に記載の単離されたｒｓＰＳＭＡタンパク質のダイマーであって、前記酵素活性は、フォレートヒドロラーゼ活性、ＮＡＡＬＡＤａｓｅ活性、ジペプチジルジペプチダーゼＩＶ活性、γ−グルタミルヒドロラーゼ活性およびそれらの組み合わせからなる群より選択される、単離されたｒｓＰＳＭＡタンパク質のダイマー。
【請求項３７１】
ＰＳＭＡの酵素の少なくとも１つの酵素活性を阻害する候補薬剤をスクリーニングする方法であって、以下：
ａ）該候補薬剤と単離されたＰＳＭＡタンパク質マルチマーを混合して、反応混合物を形成する工程、引き続いて
ｂ）該ＰＳＭＡのための基質を該反応混合物に添加する工程、および
ｃ）該ＰＳＭＡ酵素による該基質から形成される産物の量を決定する工程であって、ここで対照と比較して、該形成された産物の量における減少は、該ＰＳＭＡ酵素の少なくとも１つの酵素活性を阻害することができる薬剤を示す、
方法。
【請求項３７２】
請求項３７１に記載のスクリーニング方法であって、前記ＰＳＭＡ酵素が、ＮＡＡＬＡＤａｓｅ、フォレートヒドロラーゼ、ジペプジルジペプチダーゼＩＶおよびγ−グルタミルヒドロラーゼからなる群から選択される、方法。
【請求項３７３】
請求項３７１に記載のスクリーニング方法であって、前記ＰＳＭＡマルチマーは、組み換え可溶性ＰＳＭＡを含む、方法。
【請求項３７４】
請求項３７１に記載のスクリーニング方法であって、前記候補薬剤は、抗体、低分子有機化合物、またはペプチドからなる群から選択される、方法。
【請求項３７５】
請求項３７１に記載の方法によって同定されるＰＳＭＡの少なくとも１つの酵素活性を阻害する候補薬剤。
【請求項３７６】
請求項３７５に記載の候補薬剤であって、該薬剤は、コンビナトリアル抗体ライブラリー、コンビナトリアルタンパク質ライブラリー、または低有機分子ライブラリーから選択される、候補薬剤。
【請求項３７７】
ＰＳＭＡの酵素の少なくとも１つの酵素活性を増強する候補薬剤をスクリーニングする方法であって、以下：
ａ）該候補薬剤と単離されたＰＳＭＡタンパク質マルチマーを混合して、反応混合物を形成する工程、引き続いて
ｂ）該ＰＳＭＡのための基質を該反応混合物に添加する工程、および
ｃ）該ＰＳＭＡ酵素による該基質から形成される産物の量を決定する工程であって、ここで対照と比較して、該形成された産物の量における増加は、該ＰＳＭＡ酵素の少なくとも１つの酵素活性を増強することができる薬剤を示す、
方法。
【請求項３７８】
請求項３７７に記載のスクリーニング方法であって、該ＰＳＭＡ酵素は、ＮＡＡＬＡＤａｓｅ、フォレートヒドロラーゼ、ジペプジルジペプチダーゼＩＶおよびγ−グルタミルヒドロラーゼからなる群から選択される、方法。
【請求項３７９】
請求項３７７に記載のスクリーニング方法であって、該ＰＳＭＡマルチマーが、組み換え可溶性ＰＳＭＡを含む、方法。
【請求項３８０】
請求項３７７に記載のスクリーニング方法であって、該候補薬剤が、抗体、低分子有機化合物、またはペプチドからなる群から選択される、方法。
【請求項３８１】
請求項３７７に記載の方法によって同定されるＰＳＭＡの少なくとも１つの酵素活性を増強する候補薬剤。
【請求項３８２】
請求項３８１に記載の候補薬剤であって、該薬剤は、コンビナトリアル抗体ライブラリー、コンビナトリアルタンパク質ライブラリー、または低有機分子ライブラリーから選択される、候補薬剤。
【請求項３８３】
ＰＳＭＡダイマーの解離を促進する化合物を同定する方法であって、以下：
該化合物の非存在下で該ＰＳＭＡダイマーの解離を促進させない条件下で、ＰＳＭＡダイマーと化合物を接触させる工程；
ＰＳＭＡモノマーの量を測定する工程；および
該化合物の存在下で測定されるＰＳＭＡモノマーの量と該化合物の非存在下で観察される量とを比較する工程；
を包含し、ここで該化合物の存在下で測定されるＰＳＭＡモノマーの量の増加は、該化合物が、ＰＳＭＡダイマーの解離を促進することができることを示す、
方法。
【請求項３８４】
ＰＳＭＡダイマーの解離を促進する化合物を同定するための方法であって、以下：
該化合物の非存在下で該ＰＳＭＡダイマーの解離を促進させない条件下で、ＰＳＭＡダイマーと化合物を接触させる工程；
ＰＳＭＡダイマーの量を測定する工程；および
該化合物の存在下で測定されるＰＳＭＡダイマーの量と該化合物の非存在下で観察される量とを比較する工程；
を包含し、ここで該化合物の存在下で測定されるＰＳＭＡダイマーの量の増加は、該化合物が、ＰＳＭＡダイマーの解離を促進することができることを示す、
方法。
【請求項３８５】
ＰＳＭＡダイマーの解離を促進する化合物を同定するための方法であって、以下：
該化合物の非存在下で該ＰＳＭＡダイマーの解離を促進させない条件下で、該ＰＳＭＡダイマーと化合物を接触させる工程；
ＰＳＭＡモノマーおよび該ＰＳＭＡダイマーの量を測定する工程；
該ＰＳＭＡモノマー  対  該ＰＳＭＡダイマーの比を計算する工程；および
該化合物の存在下で観察される比と該化合物の非存在下で観察される比とを比較する工程；
を包含し、ここで該化合物の存在下で測定される比の増加は、該化合物が、ＰＳＭＡダイマーの解離を促進することができることを示す、
方法。